(57)【要約】【課題】複数種類の画像形成装置を管理して印刷出力を行うシステムが備える、処理実行制御装置。において、印刷条件の変更によるマークの変更に際するユーザの操作負担を軽減すること。【解決手段】印刷ジョブが、画像形成出力によって出力されるシートの丁合に関連する条件の設定及びシートにおいて出力対象画像の外側に形成されるマークの設定を含み、ジョブデータのうち丁合に関連する条件の変更を受け付け、丁合に関連する条件の変化に応じてマークの設定を変換するための方法が特定されたマーク変換情報に基づき、マークの設定を変換することを特徴とする。【選択図】図１３
2019117660.tif 000002
【特許請求の範囲】
【請求項１】
複数の画像形成装置を管理して画像形成出力を実行させる画像処理システムであって、該システムは画像形成出力対象の画像の情報である出力対象画像情報に対して画像形成出力における条件が設定されて生成された出力命令情報に基づいて前記複数の画像形成装置による処理の実行を制御する処理実行制御装置と、前記処理実行制御装置による制御に基づき、前記複数の画像形成装置のうち少なくとも１つの画像形成装置における画像形成出力を制御する画像形成出力制御装置とを含み、
前記出力命令情報は、前記画像形成出力によって出力される結果物の丁合に関連する条件の設定及び前記結果物において前記画像形成出力対象の画像の外側に形成される丁合に関する図形の設定を含み、
前記処理実行制御装置は、
前記出力命令情報を取得する出力命令情報取得部と、
画像形成装置が画像形成出力に際して参照する情報である描画情報を、前記出力命令情報に従い、前記出力対象画像情報に基づいて生成する制御側描画情報生成部と、
前記出力命令情報のうち前記丁合に関連する条件の設定の変更を受け付け、前記丁合に関連する条件の変化に応じて前記丁合に関する図形の条件の設定を変換するための方法が特定されたマーク変換情報に基づき、前記丁合に関する図形の設定を変換する設定変換部と、
を有することを特徴とする、処理実行制御装置。
【請求項２】
前記出力命令情報は前記結果物のサイズを指定する情報を含み、
前記設定変換部は、
前記結果物のサイズの設定変更を受け付け、
受け付けた前記サイズの変化に応じて前記丁合に関する図形の設定を変換することを特徴とする請求項１に記載の画像処理システム。
【請求項３】
前記出力命令情報は画像形成出力を実行させる画像形成装置を指定する情報を含み、
前記設定変換部は、
前記画像形成装置を指定する情報の変更を受け付け、
変更後の前記画像形成装置における前記丁合に関連する条件の対応機能の情報を取得し、
取得した前記条件の対応機能の情報と、前記出力命令情報のうち前記丁合に関連する条件の設定との差異に基づいて前記丁合に関する図形の設定を変換することを特徴とする請求項１または２に記載の画像処理システム。
【請求項４】
前記設定変換部は、
複数ページによって構成される出力対象画像情報についてページ毎に異なる出力先を指定するように前記画像形成装置を指定する情報の変更を受け付けることを特徴とする請求項３に記載の画像処理システム。
【請求項５】
複数の画像形成装置を管理して画像形成出力を実行させる画像処理システムにおいて、
画像形成出力対象の画像の情報である出力対象画像情報に対して画像形成出力における条件が設定されて生成された出力命令情報に基づいて前記複数の画像形成装置による処理の実行を制御すると共に、前記複数の画像形成装置のうち少なくとも１つの画像形成装置における画像形成出力を制御する画像形成出力制御装置に前記出力命令情報を送信する処理実行制御装置であって、
前記出力命令情報は、前記画像形成出力によって出力される結果物の丁合に関連する条件の設定及び前記結果物において前記出力対象の画像の外側に形成される丁合に関する図形の設定を含み、
前記出力命令情報を取得する出力命令情報取得部と、
画像形成装置が画像形成出力に際して参照する情報である描画情報を、前記出力命令情報に従い、前記出力対象画像情報に基づいて生成する制御側描画情報生成部と、
前記出力命令情報のうち前記丁合に関連する条件の変更を受け付け、前記丁合に関連する条件の変化に応じて前記丁合に関する図形の設定を変換するための方法が特定されたマーク変換情報に基づき、前記丁合に関する図形の設定を変換する設定変換部とを含み、
前記制御側描画情報生成部は、前記画像形成出力制御装置において前記出力対象画像情報に基づいて前記描画情報を生成する出力側描画情報生成部に対応していることを特徴とする処理実行制御装置。
【請求項６】
画像形成出力対象の画像の情報である出力対象画像情報に対して画像形成出力における条件が設定されて生成された出力命令情報に基づいて複数の画像形成装置による処理の実行を制御する処理実行制御装置と、前記処理実行制御装置による制御に基づき、前記複数の画像形成装置のうち少なくとも１つの画像形成装置における画像形成出力を制御する画像形成出力制御装置とを含む画像処理システムにおける画像処理方法であって、
前記出力命令情報は、前記画像形成出力によって出力される結果物の丁合に関連する条件の設定及び前記結果物において前記出力対象の画像の外側に形成される丁合に関する図形の設定を含み、
前記処理実行制御装置は、
前記出力命令情報を取得し、
画像形成装置が画像形成出力に際して参照する情報である描画情報を、前記出力命令情報に従い、前記出力対象画像情報に基づいて生成し、
前記出力命令情報のうち前記丁合に関連する条件の変更を受け付け、前記丁合に関連する条件の変化に応じて前記丁合に関する図形の設定を変換するための方法が特定されたマーク変換情報に基づき、前記丁合に関する図形の設定を変換し、
前記画像形成出力制御装置は、
前記処理実行制御装置において描画情報を生成する制御側描画情報生成部に対応した描画情報生成部である出力側描画情報生成部により、受信した出力命令情報に含まれる出力対象画像情報に基づいて前記描画情報を生成し、
前記出力側描画情報生成部によって生成された描画情報に基づいて画像形成装置に画像形成出力を実行させることを特徴とする画像処理方法。
【請求項７】
複数の画像形成装置を管理して画像形成出力を実行させる画像処理システムにおいて、画像形成出力対象の画像の情報である出力対象画像情報に対して画像形成出力における条件が設定されて生成された出力命令情報に基づいて前記複数の画像形成装置による処理の実行を制御すると共に、前記複数の画像形成装置のうち少なくとも１つの画像形成装置における画像形成出力を制御する画像形成出力制御装置に前記出力命令情報を送信する処理実行制御装置を制御する制御プログラムであって、
前記出力命令情報は、前記画像形成出力によって出力される結果物の丁合に関連する条件の設定及び前記結果物において前記出力対象の画像の外側に形成される丁合に関する図形の設定を含み、
前記出力命令情報を取得する出力命令情報取得部と、
画像形成装置が画像形成出力に際して参照する情報である描画情報を、前記出力命令情報に従い、前記出力対象画像情報に基づいて生成する制御側描画情報生成部と、
前記出力命令情報のうち前記丁合に関連する条件の変更を受け付け、前記丁合に関連する条件の変化に応じて前記丁合に関する図形の設定を変換するための方法が特定されたマーク変換情報に基づき、前記丁合に関する図形の設定を変換する設定変換部とを情報処理装置において実現し、
前記制御側描画情報生成部は、前記画像形成出力制御装置において前記出力対象画像情報に基づいて前記描画情報を生成する出力側描画情報生成部に対応していることを特徴とする制御プログラム。
【発明の詳細な説明】
【技術分野】
【０００１】
本発明は、画像処理システム、処理実行制御装置、画像処理方法及び制御プログラムに
関する。
【背景技術】
【０００２】
ＪＤＦ（Ｊｏｂ  Ｄｅｆｉｎｉｔｉｏｎ  Ｆｏｒｍａｔ）と呼ばれる情報形式により、印刷物の生成に関するあらゆる処理を定義して制御する方法が用いられている。この方法によれば、オフセットプリンタやデジタルプリンタ等の異なる種類のプリンタを一括して制御することが可能となる。そのようなシステムはＨＷＦ（Ｈｙｂｒｉｄ  Ｗｏｒｋ  Ｆｌｏｗ）システムと呼ばれ、そのようなシステムを制御するサーバはＨＷＦサーバと呼ばれる。
【０００３】
このようなＨＷＦシステムにおいては、オフセットプリンタ及びデジタルプリンタの夫々に出力を実行させた場合に、フォントや色味等に差異がなく、一貫した出力結果が得られることが求められる。しかしながら、印刷出力において最終的に参照されるデータであるラスターデータを印刷データに基づいて生成するＲＩＰ（Ｒａｓｔｅｒ  Ｉｍａｇｅ  Ｐｒｏｃｅｓｓｏｒ）エンジンが、オフセットプリンタ及びデジタルプリンタにおいて、夫々設けられる。その結果、異なるＲＩＰエンジンが用いられるため、印刷結果に差異が生じる場合がある。
【０００４】
オフセットプリンタによる出力の場合にはＨＷＦサーバ上にてＲＩＰエンジンによるラスターデータの生成処理（以降、「ＲＩＰ処理」とする）が行われた上で、オフセットプリンタ用の版を作成するＣＴＰ（Ｃｏｍｐｕｔｅｒ  Ｔｏ  Ｐｌａｔｅ）にデータが転送される。
【０００５】
他方、デジタルプリンタの場合、ＤＦＥ（Ｄｉｇｉｔａｌ  Ｆｒｏｎｔ  Ｅｎｄ）と呼ばれる構成が印刷データを受信してＲＩＰ処理を行い、プリンタエンジンに印刷出力を実行させる方式が一般的である。従って、ＣＴＰに転送するデータを生成するためのＲＩＰエンジンによる処理結果と、ＤＦＥに搭載されるＲＩＰエンジンによる処理結果とが可能な限り同一となることが求められる。
【０００６】
また、ＨＷＦシステムにおいては、オフセットプリンタ用に生成された画像データやジョブデータを利用してデジタルプリンタに印刷出力を実行させることも可能である。そのような場合において、オフセットプリンタ用に生成された面付け情報に基づいて大判サイズのイメージデータを電子的に裁断し、面付けをし直す方法が提案されている（例えば、特許文献１参照）。
【発明の概要】
【発明が解決しようとする課題】
【０００７】
上述した印刷結果の差異については、ＨＷＦサーバに搭載されるＲＩＰエンジンとＤＦＥに搭載されるＲＩＰエンジンとを対応させ、いずれのＲＩＰエンジンであっても同一の結果が得られるようにすることで課題を解決することが可能である。他方、上述したオフセットプリンタとデジタルプリンタとのジョブデータの共用における情報の変換については、特許文献１開示された技術であっても未だ十分ではない。
【０００８】
特許文献１においては印刷対象のページの面付けが対象とされている。これに対して、面付けされた状態での印刷に際しては、折り位置や裁断位置を示すマークが付加されることが一般的である。そして、オフセット印刷からデジタル印刷への変更等により、印刷条件が変化し、面付け状態が変わる場合には、それに伴ってマークも変更する必要がある。
【０００９】
しかしながら、特許文献１においては、面付けの変更に伴うマークの変更については考慮されていない。マークに変更が発生する場合にはユーザが手動で対応する必要があり、ユーザの操作負担となる。尚、このような課題は、オフセット印刷からデジタル印刷への変更に限らず、面付けが変更されることによってマークに変更が生ずる場合に同様に発生する。また、面付けが変更される場合に限らず、印刷出力を実行する装置が変更されることにより、裁断や折りを行う後処理装置の機能に変化が生ずる場合にも同様に問題となり得る。
【００１０】
本発明は、このような課題を解決するためになされたものであり、複数種類の画像形成装置を管理して印刷出力を行うシステムにおいて、印刷条件の変更によるマークの変更に際するユーザの操作負担を軽減することを目的とする。
【課題を解決するための手段】
【００１１】
上記課題を解決するために、本発明の一態様は、複数の画像形成装置を管理して画像形成出力を実行させる画像処理システムであって、該システムは画像形成出力対象の画像の情報である出力対象画像情報に対して画像形成出力における条件が設定されて生成された出力命令情報に基づいて前記複数の画像形成装置による処理の実行を制御する処理実行制御装置と、前記処理実行制御装置による制御に基づき、前記複数の画像形成装置のうち少なくとも１つの画像形成装置における画像形成出力を制御する画像形成出力制御装置とを含み、前記出力命令情報は、前記画像形成出力によって出力される結果物の丁合に関連する条件の設定及び前記結果物において前記画像形成出力対象の画像の外側に形成される丁合に関する図形の設定を含み、前記処理実行制御装置は、前記出力命令情報を取得する出力命令情報取得部と、画像形成装置が画像形成出力に際して参照する情報である描画情報を、前記出力命令情報に従い、前記出力対象画像情報に基づいて生成する制御側描画情報生成部と、前記出力命令情報のうち前記丁合に関連する条件の設定の変更を受け付け、前記丁合に関連する条件の変化に応じて前記丁合に関する図形の条件の設定を変換するための方法が特定されたマーク変換情報に基づき、前記丁合に関する図形の設定を変換する設定変換部と、を有することを特徴とする。
【発明の効果】
【００１２】
本発明によれば、複数種類の画像形成装置を管理して印刷出力を行うシステムにおいて、印刷条件の変更によるマークの変更に際するユーザの操作負担を軽減することができる。
【図面の簡単な説明】
【００１３】
【図１】本発明の実施形態に係るシステムの運用形態を示す図である。
【図２】本発明の実施形態に係る情報処理装置のハードウェア構成を示すブロック図である。
【図３】本発明の実施形態に係るＪＤＦ情報を示す図である。
【図４】本発明の実施形態に係るＨＷＦサーバの機能構成を示すブロック図である。
【図５】本発明の実施形態に係るワークフロー情報の例を示す図である。
【図６】本発明の実施形態に係るＤＦＥの機能構成を示すブロック図である。
【図７】本発明の実施形態に係る変換テーブルの例を示す図である。
【図８】本発明の実施形態に係るＲＩＰパラメータの例を示す図である。
【図９】本発明の実施形態に係るＲＩＰエンジンの機能構成を示すブロック図である。
【図１０】本発明の実施形態に係るＲＩＰエンジンの機能構成を示すブロック図である。
【図１１】本発明の実施形態に係るシステムの全体動作を示すシーケンス図である。
【図１２】本発明の実施形態に係るマーク設定画面の例を示す図である。
【図１３】本発明の実施形態に係るマークの態様を示す図である。
【図１４】本発明の実施形態に係るジョブの分割要求設定画面の例を示す図である。
【図１５】本発明の実施形態に係る分割要求の情報を示す図である。
【図１６】本発明の実施形態に係るマーク変換情報の例を示す図である。
【図１７】本発明の実施形態に係るマーク変換情報の例を示す図である。
【図１８】本発明の実施形態に係る数式テーブルの例を示す図である。
【図１９】本発明の実施形態に係るマーク変換結果確認画面の例を示す図である。
【図２０】本発明の実施形態に係るマークの変換結果の態様を示す図である。
【図２１】本発明の実施形態に係るＤＦＥ内処理を示すフローチャートである。
【図２２】本発明の実施形態に係るＲＩＰ処理を示すフローチャートである。
【発明を実施するための形態】
【００１４】
以下、図面を参照して、本発明の実施形態について説明する。本実施形態においては、オフセットプリンタ及びデジタルプリンタが混在するシステムにおいて、両方のプリンタを同一のサーバを介して制御可能な画像処理システムについて説明する。このようなシステムは、ＨＷＦ（Ｈｙｂｒｉｄ  Ｗｏｒｋ  Ｆｌｏｗ）システムと呼ばれる。
【００１５】
本実施形態に係るＨＷＦシステムにおいては、デジタルプリンタを動作させる場合にデジタルプリンタを制御するＤＦＥ（Ｄｉｇｉｔａｌ  Ｆｒｏｎｔ  Ｅｎｄ）とサーバとに共通化されたＲＩＰ（Ｒａｓｔｅｒ  Ｉｍａｇｅ  Ｐｒｏｃｅｓｓｏｒ）エンジンが搭載されている。そして、オフセットプリンタ、デジタルプリンタに対して割り振るページや、面付けを調整することによってシステム全体の印刷出力の生産性を向上することが本実施形態に係る趣旨である。
【００１６】
図１は、本実施形態に係るＨＷＦシステムの運用形態を示す図である。図１に示すように、本実施形態に係るシステムは、デジタルプリンタ１ａ、１ｂ、オフセットプリンタ２、後処理装置３、ＨＷＦサーバ４ａ、４ｂ（以降、総じて「ＨＷＦサーバ４」とする）、クライアント端末５ａ、５ｂ（以降、総じて「クライアント端末５」とする）がネットワークを介して接続されて構成されている。
【００１７】
デジタルプリンタ１ａ、１ｂ（以降、総じて「デジタルプリンタ１」とする）は、電子写真方式やインクジェット方式等、版を用いずに画像形成出力を行う無版型のプリンタであり、ＤＦＥ１００、デジタルエンジン１５０及び後処理装置１６０を含む。ＤＦＥ１００は、デジタルエンジン１５０に印刷出力を実行させると共に、後処理装置１６０に後処理を実行させるための制御部である画像形成出力制御装置として機能する。また、デジタルエンジン１５０が画像形成装置として機能する。そのため、ＤＦＥ１００は、デジタルエンジン１５０が印刷出力を実行する際に参照する画像データであるラスターデータを生成するためのＲＩＰ（Ｒａｓｔｅｒ  Ｉｍａｇｅ  Ｐｒｏｃｅｓｓｏｒ）エンジンを含む。このラスターデータが描画情報として用いられる。
【００１８】
オフセットプリンタ２は、版を用いて画像形成出力を行う有版型のプリンタであり、ＣＴＰ（Ｃｏｍｐｕｔｅｒ  Ｔｏ  Ｐｌａｔｅ）２００及びオフセットエンジン２５０を含む。ＣＴＰ２００は、ラスターデータに基づいて版を生成する装置である。ＣＴＰ２００によって版が生成されることにより、オフセットエンジン２５０によるオフセット印刷が可能となる。
【００１９】
後処理装置３は、デジタルプリンタ１、オフセットプリンタ２によって印刷出力された用紙に対してパンチ、ステープル、製本等の後処理を行う装置である。また、後処理装置３は、オフセットプリンタによって出力された用紙が面付けされた用紙である場合には、用紙の折りや裁断を行う。
【００２０】
ＨＷＦサーバ４は、印刷出力する対象の画像データを含むジョブデータの入稿から、印刷出力、後処理まですべてを管理するＨＷＦソフトウェアがインストールされたサーバである。ＨＷＦサーバ４は、ＪＤＦ（Ｊｏｂ  Ｄｅｆｉｎｉｔｉｏｎ  Ｆｏｒｍａｔ）と呼ばれる情報形式で生成された情報（以降、「ＪＤＦ情報」とする）により、上述した様々な処理を管理する。即ち、ＨＷＦサーバ４が処理実行制御装置として機能する。
【００２１】
ＨＷＦサーバ４は、オフセットプリンタ２を用いてオフセット印刷により印刷出力を行う場合、内部に搭載されたＲＩＰエンジンによりラスターデータを生成し、そのラスターデータをＣＴＰ２００に送信する。そのため、ＨＷＦサーバ４にはＲＩＰエンジンが搭載されている。
【００２２】
他方、デジタルプリンタ１により印刷出力を行う場合、ＤＦＥ１００にデータを送信する。ＤＦＥ１００には上述した通りＲＩＰエンジンが搭載されているため、ＨＷＦサーバ４はＲＩＰ処理前の印刷データをＤＦＥ１００に送信することにより、デジタルプリンタ１に印刷出力を実行させることが可能である。
【００２３】
ここで、１冊の印刷物を形成するための印刷出力がデジタルプリンタ１、オフセットプリンタ２の夫々において実行される場合がある。そのような場合において、両者の印刷出力の結果においてフォントや色味が異なると、出力物を受け取るユーザに違和感を与えることとなる。そのため、デジタルプリンタ１、オフセットプリンタ２の夫々における印刷出力の結果は一貫していることが好ましい。
【００２４】
異なるデバイスによる印刷出力の差異は、主にＲＩＰ処理によって生じる。そのため、デジタルプリンタ１とオフセットプリンタ２とで処理が共通化されたＲＩＰエンジンを用いることにより、両者の出力結果の差異を最低限とすることが可能である。
【００２５】
即ち、本実施形態においてＨＷＦサーバ４に搭載されるＲＩＰエンジンは、デジタルプリンタ１及びオフセットプリンタ２の両方に対応し、共通化可能な処理が共通化されたＲＩＰエンジンである。また、ＤＦＥ１００には、ＨＷＦサーバ４に搭載されたＲＩＰエンジンと共通のＲＩＰエンジンが搭載される。このような構成が本実施形態に係る要旨の１つである。
【００２６】
このような構成により、ＨＷＦサーバ４及びＤＦＥ１００には共通のＲＩＰエンジンが搭載されることとなる。そのため、デジタルプリンタ１により印刷出力を実行する場合、ＨＷＦサーバ４によるＲＩＰ処理とＤＦＥ１００によるＲＩＰ処理とを組み合わせることが可能となる。
【００２７】
クライアント端末５は、システムを使用するオペレータがＨＷＦサーバ４を操作するための情報処理端末であり、一般的なＰＣ（Ｐｅｒｓｏｎａｌ  Ｃｏｍｐｕｔｅｒ）等によって実現される。オペレータは、クライアント端末５を操作してＨＷＦサーバ４を操作するためのＧＵＩ（Ｇｒａｐｈｉｃａｌ  Ｕｓｅｒ  Ｉｎｔｅｒｆａｃｅ）を表示し、データの入力や上述したＪＤＦ情報の設定などを行う。ＪＤＦ情報が処理設定情報である。
【００２８】
次に、本実施形態に係るＤＦＥ１００、ＨＷＦサーバ４及びクライアント端末５等の情報処理装置のハードウェア構成について図２を参照して説明する。図２に示すように、本実施形態に係る情報処理装置は、一般的なサーバやＰＣ（Ｐｅｒｓｏｎａｌ  Ｃｏｍｐｕｔｅｒ）等と同様の構成を含む。即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２９】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００３０】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボードやマウス等、ユーザが情報処理装置に情報を入力するためのユーザインタフェースである。尚、ＨＷＦサーバ４はサーバとして運用されるため、ＬＣＤ６０や操作部７０等のユーザインタフェースは省略可能である。
【００３１】
このようなハードウェア構成において、ＲＯＭ３０に格納されたプログラムや、ＨＤＤ４０若しくは図示しない光学ディスク等の記憶媒体からＲＡＭ２０にロードされたプログラムに従ってＣＰＵ１０が演算を行うことにより、ソフトウェア制御部が構成される。このようにして構成されたソフトウェア制御部と、ハードウェアとの組み合わせによって、本実施形態に係るＤＦＥ１００、ＨＷＦサーバ４及びクライアント端末５の機能を実現する機能ブロックが構成される。
【００３２】
次に、上述したＪＤＦ情報について説明する。図３は、ＪＤＦ情報の例を示す図である。図３に示すように、ＪＤＦ情報は、ジョブの実行に関する“ジョブ情報”、ラスターデータに関する“エディット情報”、後処理に関する“フィニッシング情報”を含む。また、“ＲＩＰステータス”、“ＲＩＰデバイス指定”及び“デバイス指定”の情報を含む。
【００３３】
“ジョブ情報”は、図３に示すように、“部数”、“ページ数”、“ＲＩＰ制御モード”といった情報を含む。“部数”は、出力対象の印刷物の部数を指定する情報である。“ページ数”は、印刷物のページ数を指定する情報である。“ＲＩＰ制御モード”は、ＲＩＰ処理の制御モードを示し、「ページモード」、「シートモード」等が指定される。
【００３４】
“エディット情報”は、“向き情報”、“印刷面情報”、“回転”、“拡大／縮小”、“イメージ位置”、“レイアウト情報”、“マージン情報”、“クロップ・マーク情報”を含む。“向き情報”は、「縦」、「横」等の印刷の向きを指定する情報である。“印刷面情報”は、「両面」、「片面」等の印刷面を指定する情報である。
【００３５】
“回転”は、出力対象の画像の回転角度を指定する情報である。“拡大／縮小”は、出力対象の画像の変倍率を指定する情報である。“イメージ位置”の“オフセット”は、出力対象の画像のオフセットを指定する情報である。“位置調整情報”は、出力対象の画像の位置調整の値を指定する情報である。
【００３６】
“レイアウト情報”の“カスタム・インポジション配置”は、カスタム面の配置を指定する情報である。“ページ数”は、用紙１枚のページ数を指定する情報であり、例えば１枚の用紙に２ページを集約する場合には「２ｉｎ１」等と指定される。“ページ順序情報”は、印刷されるページの順序に関する情報を指定する情報である。“クリープ位置調整”は、クリープ位置の調整に関する値を指定する情報である。
【００３７】
“マージン情報”は、フィット・ボックスやガターなどのマージンに関する値を指定する情報である。“クロップ・マーク情報”の“センター・クロップ・マーク情報”は、センター・クロップ・マークに関する値を指定する情報である。“コーナー・クロップ・マーク情報”は、コーナー・クロップ・マークに関する値を指定する情報である。この他、マークの情報として様々な情報が含まれ得る。詳細は後述する。
【００３８】
“フィニッシング情報”は、“Ｃｏｌｌａｔｅ情報”、“ステープル／バインド情報”、“パンチ情報”、“折り情報”、“トリム”、“出力トレイ情報”、“入力トレイ情報”、“カバー・シート情報”を含む。“Ｃｏｌｌａｔｅ情報”は、文書が複数部数印刷される場合にページ単位で印刷するか文書単位で印刷するかを指定する情報である。
【００３９】
“ステープル／バインド情報”は、ステープル／バインドに関する処理を指定する情報である。“パンチ情報”は、パンチに関する処理を指定する情報である。“折り情報”は、折りに関する処理を指定する情報である。“トリム”は、トリムに関する処理を指定する情報である。
【００４０】
“出力トレイ情報”は、出力トレイを指定する情報である。“入力トレイ”は、入力トレイを指定する情報である。“カバー・シート情報”は、カバー・シートに関する処理を指定する情報である。
【００４１】
“ＲＩＰステータス”は、ＲＩＰ処理に含まれる各処理であるＲＩＰ内部処理の夫々が実行済みであるか否かを示す実行状態情報である。図３においては、ＲＩＰ内部処理の項目として“プリフライト”、“ノーマライズ”、“フォント”、“レイアウト”、“マーク”、“ＣＭＭ”、“Ｔｒａｐｐｉｎｇ”、“Ｃａｌｉｂｒａｔｉｏｎ”、“Ｓｃｒｅｅｎｉｎｇ”といった処理項目が記述されている。そして、夫々の項目についての処理状態のステータスが記述される。図３においては、未処理であることを示す「ＮｏｔＹｅｔ」が設定されており、夫々の処理が実行されると「Ｄｏｎｅ」に更新される。
【００４２】
“ＲＩＰデバイス指定”は、夫々のＲＩＰ内部処理について、ＨＷＦサーバ４側において実行するか、ＤＦＥ１００側において実行するかを指定する情報である。“ＲＩＰステータス”と同様のＲＩＰ内部処理の夫々の項目について、「ＨＷＦサーバ」と「ＤＦＥ」とのいずれかが設定される。また、「ＤＦＥ」が設定される場合、「ＤＦＥ（エンジンＡ）」のように、ＤＦＥ１００に搭載されている複数のＲＩＰエンジンのいずれかを指定する情報が含まれる。
【００４３】
“デバイス指定”は、印刷ジョブを実行するデバイスを指定する情報であり、図３の例においては、「デジタルプリンタ」が指定されている。尚、ＪＤＦ情報は図３に示す情報の他にも様々な情報を含む。それらの情報については以降の説明において詳述する。
【００４４】
図３に示すＪＤＦ情報は、オペレータがクライアント端末５を介してＨＷＦサーバ４のＧＵＩを表示させ、ＧＵＩにおいて各種の項目を設定することにより生成される。そして、ＨＷＦサーバ４やＤＦＥ１００に搭載されるＲＩＰエンジンは、このようなＪＤＦ情報に基づいてＲＩＰ処理を行う。また、後処理装置３は、このようなＪＤＦ情報に基づいて後処理を実行する。尚、外部のソフトウェアやシステムからＨＷＦサーバ４に対してジョブが入稿される場合、ＪＤＦ情報が付与された状態で入稿される場合もある。
【００４５】
次に、本実施形態に係るＨＷＦサーバ４の機能構成について図４を参照して説明する。図４に示すように、ＨＷＦサーバ４は、ＨＷＦコントローラ４００及びネットワークＩ／Ｆ４０１を含む。ネットワークＩ／Ｆ４０１は、ＨＷＦサーバ４がネットワークを介して他の機器と情報をやり取りするためのインタフェースである。
【００４６】
ＨＷＦコントローラ４００は、印刷対象のデータの取得、印刷ジョブの作成、ワークフローの管理、デジタルプリンタ１及びオフセットプリンタ２へのジョブの振り分け等を管理する。印刷対象のジョブデータがＨＷＦサーバ４に入力され、ＨＷＦコントローラ４００によって取得される処理が、本システムにおける入稿処理である。ＨＷＦコントローラ４００は、専用のソフトウェアが情報処理装置にインストールされることによって構成される。このソフトウェアがＨＷＦソフトウェアである。
【００４７】
ＨＷＦコントローラ４００において、システム制御部４１０は、ＨＷＦコントローラ４００全体の制御を行う。そのため、システム制御部４１０は、上述したＨＷＦコントローラ４００の各機能の実現に際して、ＨＷＦコントローラ４００各部に命令を与えて処理を実行させる。データ受信部４１１は、他のシステムからの印刷物のジョブデータの受信、もしくはオペレータの操作によって入稿されるジョブデータの受信を行う。
【００４８】
ＵＩ（Ｕｓｅｒ  Ｉｎｔｅｒｆａｃｅ）制御部４１２は、クライアント端末５を介したオペレータによる操作を制御する。クライアント端末５にはＨＷＦサーバ４を操作するためのＧＵＩが表示され、ＵＩ制御部４１２は、クライアント端末５において表示されたＧＵＩに対する操作の情報を、ネットワークを介して取得する。
【００４９】
ＵＩ制御部４１２は、このようにしてネットワークを介して取得した操作の情報をシステム制御部４１０に通知する。クライアント端末５におけるＧＵＩの表示は、クライアント端末５に予めインストールされたソフトウェアや、ＵＩ制御部４１２からネットワークを介してクライアント端末５に提供される情報によって実現される。
【００５０】
オペレータは、クライアント端末５に表示されたＧＵＩを操作することにより入稿対象のジョブデータを選択する。これにより、クライアント端末５がＨＷＦサーバ４に対してジョブデータを送信し、データ受信部４１１がジョブデータを取得する。システム制御部４１０は、データ受信部４１１が取得したジョブデータをジョブデータ格納部４１４に登録する。
【００５１】
クライアント端末５からＨＷＦサーバ４へのジョブデータの送信に際しては、クライアント端末５において選択された文書データや画像データに基づき、クライアント端末５においてジョブデータが生成された上でＨＷＦサーバ４に送信される。ジョブデータは、例えばＰＤＦ（Ｐｏｒｔａｂｌｅ  Ｄｏｃｕｍｅｎｔ  Ｆｏｒｍａｔ）やＰｏｓｔＳｃｒｉｐｔ等のＰＤＬ（Ｐａｇｅ  Ｄｅｓｃｒｉｐｔｉｏｎ  Ｌａｎｇｕａｇｅ）形式のデータである。
【００５２】
この他、クライアント端末５からＨＷＦサーバ４に対してアプリケーション専用のデータ形式や一般的な画像データの形式のまま印刷対象のデータが送信されても良い。その場合、システム制御部４１０は、取得したデータに基づいてジョブ制御部４１３にジョブデータを生成させる。ジョブ制御部４１３は、ＲＩＰエンジン４２０の機能により印刷対象のデータに基づいてジョブデータを生成させる。
【００５３】
尚、ジョブデータ格納部４１４に登録された印刷対象のデータは上述したようにＰＤＬ情報であるが、このＰＤＬ情報は、印刷対象のデータに基づいて生成された一次的なデータの他、途中まで処理が実行された中間データの場合もあり得る。これらの情報が、画像形成出力対象の画像の情報である出力対象画像情報として用いられる。中間データがジョブデータ格納部４１４に格納される場合としては、ＨＷＦサーバ４において既に処理が開始された処理途中の状態の他、中間データの状態でＨＷＦサーバ４にジョブデータが登録される場合等があり得る。以降、“ＰＤＬ情報”とする場合には、ＲＩＰ処理が行われていない一次的なデータを示し、“中間データ”とする場合には途中までＲＩＰ処理が実行された処理途中の状態のデータを示す。
【００５４】
また、上述したように、図３において説明したＪＤＦの情報はクライアント端末５に表示されるＧＵＩに対するオペレータの操作により設定されて生成される。若しくは、外部のソフトウェアやシステムからＨＷＦサーバ４に対してジョブが入稿される場合には、予め付与されている。そのようにして取得されたＪＤＦ情報はジョブデータとしてＰＤＬ情報と共にデータ受信部４１１によって受信される。システム制御部４１０は、そのようにして取得されたＪＤＦ情報とＰＤＬ情報とを関連付けてジョブデータ格納部４１４に登録する。
【００５５】
尚、本実施形態においてはジョブの内容を示す属性情報としてＪＤＦ情報を用いる場合を例として説明した。しかしながらこれは一例であり、他の形式、例えばＰＰＦ（Ｐｒｉｎｔ  Ｐｒｏｄｕｃｔｉｏｎ  Ｆｏｒｍａｔ）情報を用いても良い。
【００５６】
また、システム制御部４１０は、クライアント端末５に表示されたＧＵＩに対するオペレータの操作に基づき、受信したジョブデータを、ページ単位等の印刷部位毎に分割することが出来る。そのようにして分割した夫々のジョブデータは、分割された個別のジョブデータとしてジョブデータ格納部４１４に登録される。
【００５７】
また、分割が指定された夫々のジョブについて、クライアント端末５に表示されたＧＵＩに対するオペレータの操作により出力先のデバイスが選択されると、その選択結果がジョブデータと関連付けてジョブデータ格納部４１４に保存される。出力先の選択態様としては、例えば表紙部分はデジタルプリンタ１、本文はオフセットプリンタ２といった選択態様があり得る。
【００５８】
このようなジョブの分割処理は、システム制御部４１０、ジョブ制御部４１３による制御を介して面付け変換部４２２によって実行される。面付け変換部４２２は、オペレータによって指定されたジョブの分割態様に応じて、出力先の装置毎にジョブデータを生成してジョブを分割する。また、面付け変換部４２２は、ジョブの分割の結果によって定まる印刷条件の変化に基づき、分割前の元のジョブに対して設定されたマークの情報を分割後のジョブに対応させて変換する。このような機能が、本実施形態に係る要旨の１つである。詳細は後述する。
【００５９】
デバイス情報管理部４１６は、デジタルプリンタ１、オフセットプリンタ２、後処理装置３等、システムに含まれる他のデバイスの情報を取得してデバイス情報格納部４１７に記憶させることにより管理する。他のデバイスの情報としては、デバイスがネットワークに接続された際に割り当てられるネットワークのアドレスや、デバイスの機能の情報である。デバイスの機能の情報とは、例えば印刷速度、使用可能な後処理機能、動作状態等である。
【００６０】
デバイス情報通信部４１５は、ネットワークＩ／Ｆ４０１を介して、システムに含まれる他のデバイスの情報を定期的に取得する。これにより、デバイス情報管理部４１６は、デバイス情報格納部４１７に格納されている他のデバイスの情報を定期式に更新するため、他のデバイスの情報が動的に変化したとしてもデバイス情報格納部４１７に格納された情報が正確に保たれる。
【００６１】
面付け変換部４２２は、上述したマーク情報の変換に際して、分割後のジョブデータが送信される先の装置の情報、即ち、オフセットプリンタ２やデジタルプリンタ１の情報を取得して、マーク情報の変換を行う。それらの情報はデバイス情報格納部４１７に格納されている情報であり、デバイス情報管理部４１６によって提供される。
【００６２】
ワークフロー制御部４１８は、ジョブデータ格納部４１４に登録されたジョブデータをシステム上で処理する際の各処理の実行順を決定し、その情報をワークフロー情報格納部４１９に記憶させる。ワークフローに定められた各処理は予めその実行順序が決めらており、順序性を保つため、前の処理が完了すると次の処理に進むように制御される。
【００６３】
即ち、ワークフロー情報格納部４１９に格納されているのは、ＨＷＦシステムにおいて実行可能な夫々の処理が指定された順番通りに組み合わせられたワークフロー情報である。図５は、ワークフロー情報の例を示す図である。これに対して、夫々の処理が実行される際のパラメータは上述した通りＪＤＦ情報において指定される。ワークフロー情報格納部４１９には、クライアント端末５に表示されたＧＵＩに対するオペレータの操作に基づいて設定されたワークフロー情報が予め登録されている。
【００６４】
ＨＷＦサーバ４に登録されたジョブデータに対する実行指示は、クライアント端末５に表示されたＧＵＩに対するオペレータの操作に基づきＵＩ制御部４１２を介してシステム制御部４１０に通知される。これにより、システム制御部４１０は、上述した出力先デバイスの選択を行う。
【００６５】
上述したように、クライアント端末５に表示されたＧＵＩ上で出力先デバイスを選択する態様の場合、システム制御部４１０は指定の内容に従って出力先デバイスを選択する。この他、ジョブの内容とデバイスの特性との比較に基づいて自動的に選択する態様も可能である。
【００６６】
ジョブの内容とデバイスの特性との比較に基づいて出力先デバイスを自動的に選択する場合、システム制御部４１０は、利用可能なデバイスの情報をデバイス情報管理部４１６から取得する。このようにして出力先デバイスを決定すると、システム制御部４１０は、決定した出力先デバイスを示す情報をＪＤＦ情報に付与する。
【００６７】
出力先デバイスを決定した後、システム制御部４１０はワークフロー制御部４１８に対してジョブの実行指示を行う。この際、オペレータの操作に基づいてワークフロー情報格納部４１９に予め登録されているワークフロー情報を用いても良いし、オペレータの操作に従って設定された内容に基づいて新たなワークフロー情報が生成されても良い。
【００６８】
ワークフロー制御部４１８は、システム制御部４１０から実行指示を受け付けると、指定されたワークフロー情報若しくは新たに生成したワークフロー情報に従い、指定された実行順に従ってジョブ制御部４１３に各処理の実行指示を行う。即ち、ワークフロー制御部４１８、ジョブ制御部４１３が連動して処理実行制御部として機能する。
【００６９】
実行指示を受けたジョブ制御部４１３は、上述したＰＤＬ情報及びＪＤＦ情報をＲＩＰエンジン４２０に入力してＲＩＰ処理を実行させる。ＪＤＦ情報には、ＲＩＰエンジンによって行われる複数のＲＩＰ内部処理夫々について、ＨＷＦサーバ４、ＤＦＥ１００のいずれにおいて実行するかを示す情報が含まれる。
【００７０】
ジョブ制御部４１３は、ＪＤＦ情報に含まれる情報のうち、ＲＩＰ処理の振り分けの情報を参照し、ワークフロー制御部４１８から指示された処理がＨＷＦサーバ４において実行するべき処理であれば、ＲＩＰエンジン４２０に対して指定された処理を実行させる。ＲＩＰエンジン４２０は、ジョブ制御部４１３からの指示に従い、ＪＤＦ情報において指定されたパラメータに基づいてＲＩＰ処理を実行する。
【００７１】
このようにしてＲＩＰ処理を実行したＲＩＰエンジン４２０は、処理を実行したＲＩＰ処理のＲＩＰステータスを更新する。これにより、複数のＲＩＰ内部処理のうちＨＷＦサーバ４において実行されたＲＩＰ内部処理については、ステータスが「Ｄｏｎｅ」に変更される。ＲＩＰエンジン４２０が、制御側描画情報生成部として機能する。
【００７２】
ＲＩＰ処理が実行されることによって生成されるＲＩＰ実行結果データは、ＰＤＬ情報、中間データ、ラスターデータのいずれかである。これらはＲＩＰ内部処理の内容に異なるが、処理が進むことによって当初ＰＤＬ情報であったデータに基づいて中間データが生成され、最終的にラスターデータが生成される。ＲＩＰ実行結果データは、実行中のジョブに関連付けられてジョブデータ格納部４１４に格納される。
【００７３】
１つのＲＩＰ内部処理が完了すると、ＲＩＰエンジン４２０がジョブ制御部４１３に完了を通知し、ジョブ制御部４１３がワークフロー制御部４１８に通知する。これにより、ワークフロー制御部４１８が、ワークフロー情報に従って次の処理の制御を開始する。
【００７４】
ジョブ制御部４１３は、ワークフロー制御部４１８から受け取ったジョブの内容が、他システムに対する要求である場合、ジョブ送受信部４２１に対して、他システムに応じた形でジョブデータを入力し、ジョブデータを送信させる。オフセットプリンタ２へのジョブデータの送信の場合、印刷対象のデータはラスターデータに変換された上でジョブデータとして送信される。
【００７５】
他方、デジタルプリンタ１へのジョブデータの送信の場合、ジョブ制御部４１３は、ＤＦＥ１００に含まれる複数のＲＩＰエンジンのうち、ＲＩＰエンジン４２０に対応した同一のＲＩＰエンジンを指定してジョブ送受信部４２１にジョブデータを入力する。これにより、ジョブ送受信部４２１は、ＲＩＰエンジン４２０に対応した同一のＲＩＰエンジンを指定してＤＦＥ１００にジョブデータを送信する。
【００７６】
ジョブ送受信部４２１は、ＰＤＬ情報または中間データと、ＪＤＦ情報とをパッケージしたジョブデータをＤＦＥ１００に送信する。尚、ジョブデータの送信態様として、ＰＤＬ情報または中間データを外部リソースデータとし、ＪＤＦ情報内にＰＤＬ情報または中間データの格納先を示すＵＲＬを記述する態様でも良い。この場合、ＪＤＦ情報を受信した側でＵＲＬにアクセスし、ＰＤＬ情報または中間データを取得する。また、ジョブ送受信部４２１は、オフセット印刷の場合、ＲＩＰエンジン４２０によって生成されたラスターデータをＣＴＰ２００に送信する。このようにしてオフセットプリンタ２やデジタルプリンタ１に夫々送信されたジョブデータは、送信された先であるＣＴＰ２００やＤＦＥ１００において順次実行される。
【００７７】
次に、本実施形態に係るＤＦＥ１００の機能構成について図６を参照して説明する。ＤＦＥ１００は、ＨＷＦサーバ４からジョブデータを受信し、受信したジョブの制御、ＲＩＰ処理の実行制御及びデジタルエンジン１５０の制御を行う。ＨＷＦサーバ４は、ＤＦＥ１００にジョブデータを送信することにより、デジタルエンジン１５０による印刷出力を実行させる。即ち、ＤＦＥ１００は、ＨＷＦサーバ４に対してデジタルプリント機能を提供するためのサーバとして機能する。
【００７８】
ＤＦＥ１００が提供するジョブの制御機能とは、ジョブデータの受け付け、ＪＤＦ情報の解析、ラスターデータの作成及びデジタルエンジン１５０による印刷出力等の一連の動作の制御機能である。ＲＩＰ処理の実行制御とは、ＪＤＦ情報とＰＤＬ情報の解析によって生成された情報に基づいてＲＩＰエンジンにＲＩＰ処理を実行させる制御である。
【００７９】
ＪＤＦ情報の解析によって生成される情報とは、図３において説明したＪＤＦ情報のうち、ＲＩＰ処理に用いられる情報が抽出され、ＤＦＥ１００において解読可能な形式に変換された情報であり、“ＤＦＥ内ジョブ属性”と呼ばれる。このＤＦＥ内ジョブ属性とＰＤＬ情報を参照してＲＩＰ処理が実行されることにより、中間データ、ラスターデータが作成される。
【００８０】
デジタルエンジン１５０の制御機能とは、デジタルエンジン１５０にラスターデータ及び上述したＤＦＥ内ジョブ属性の一部を送信して印刷出力を実行させる機能である。これらの機能は、図６に示す各ブロックによって実現される。図６に示す各ブロックは、図２において説明したように、ＲＡＭ２０にロードされたプログラムやＲＯＭ３０に格納されたプログラムに従ってＣＰＵ１０が演算処理を行い、他のハードウェアを動作させることにより実現される。
【００８１】
ＤＦＥ１００は、ネットワークＩ／Ｆ１０１、ディスプレイ１０２及びＤＦＥコントローラ１１０を含み、ＤＦＥコントローラ１１０内部に複数のＲＩＰエンジンを搭載している。これは、ＨＷＦシステムにおいてＤＦＥ１００にジョブを送信する可能性のある他のデバイスのＲＩＰエンジンに夫々対応して搭載されたものである。本実施形態においては、複数のＨＷＦサーバ４ａ、４ｂに夫々異なるＲＩＰエンジンが含まれているため、ＤＦＥ１００には夫々のＲＩＰエンジンに対応して複数のＲＩＰエンジンが搭載されている。
【００８２】
ジョブ受信部１１１は、内部に複数の個別ジョブ受信部１１２を含む。個別ジョブ受信部１１２は、ネットワークＩ／Ｆ１０１を介してＨＷＦサーバ４からジョブデータを受信する。複数の個別ジョブ受信部１１２は、ＤＦＥ１００に搭載されている複数のＲＩＰエンジンに夫々対応している。個別ジョブ受信部１１２が個別受信部として機能する。
【００８３】
上述したように、ＨＷＦサーバ４からのＤＦＥ１００へのジョブデータの送信に際しては、対応するＲＩＰエンジンが指定されて送信される。そのため、ジョブ受信部１１１においては、指定されたＲＩＰエンジンに対応した個別ジョブ受信部１１２がジョブデータを受信する。
【００８４】
尚、ＤＦＥ１００へのジョブデータの入力は、ＨＷＦサーバ４からネットワークを介した入力の他、ＵＳＢメモリ等の可搬型記憶媒体を介して入力することも可能である。本実施形態においてはジョブデータにＪＤＦ情報が含まれる場合を例として説明するが、ＪＤＦが含まれていない場合、ジョブ受信部１１１はダミーのＪＤＦを作成して、ジョブデータにＪＤＦ情報を付与する。
【００８５】
個別ジョブ受信部１１２は、上述した夫々のＲＩＰエンジンに対応して設けられる場合の他、予めジョブの内容が設定された仮想プリンタとしても機能する。即ち、ＤＦＥ１００に搭載されたＲＩＰエンジン及びジョブの内容を設定した個別ジョブ受信部１１２を設け、複数の個別ジョブ受信部１１２のいずれかを指定することにより、予め設定された内容でジョブを実行させることが可能となる。
【００８６】
本実施形態に係る個別ジョブ受信部１１２において可能な設定の１つに、“パススルーモード”がある。この“パススルーモード”は、ＤＦＥ１００においてＲＩＰエンジンとは個別に設けられたＪＤＦ情報の解析機能であるＪＤＦ解析部１１７によるＪＤＦ情報の解析処理を行わせず、ＲＩＰエンジンにおいてＪＤＦ情報の解析を実行するモードである。
【００８７】
このような機能により、ＪＤＦ解析部１１７が対応していない形式のＪＤＦ情報を用いることや、ＲＩＰエンジンの外側にＪＤＦ解析機能を設けることが難しいＲＩＰエンジンをＨＷＦサーバ４及びＤＦＥ１００において用いることが可能となる。本実施形態においては、ＨＷＦサーバ４に搭載されたＲＩＰエンジン４２０とＤＦＥ１００に搭載されたＲＩＰエンジン１２０とで処理を分担する際に、上述した“パススルーモード”が用いられる。ＲＩＰエンジン４２０に対応した同一のＲＩＰエンジン１２０が、出力側描画情報生成部として用いられる。
【００８８】
ＲＩＰ処理をＨＷＦサーバ４とＤＦＥ１００とに分散する場合、可能な限りＨＷＦサーバ４とＤＦＥ１００との区分が意識されず、一連の処理として実行されることが好ましい。そのため、ＨＷＦサーバ４において途中まで処理されたデータがＤＦＥ１００に入力された場合、未処理のジョブデータが入力された場合と同様のＪＤＦ解析処理は省略し、ＨＷＦサーバ４における処理の続きとして処理が実行されることが好ましい。
【００８９】
本実施形態においては、ＨＷＦサーバ４とＤＦＥ１００とで対応した同一のＲＩＰエンジンが搭載されているため、このようなＲＩＰ処理の制御を好適に実現することが可能である。また、そのような場合においては、一方のＲＩＰエンジンによって処理されたデータがそのまま他方のＲＩＰエンジンに受け渡されることが好ましいため、上述した“パススルーモード”によってそのような制御を好適に実現することが出来る。
【００９０】
システム制御部１１３は、個別ジョブ受信部１１２が受信したジョブデータをジョブデータ格納部１１４に格納し、若しくはジョブ制御部１１６に受け渡す。ＤＦＥ１００においてジョブデータを格納する設定がされている場合や、既に実行中のジョブがある場合、システム制御部１１３はジョブデータをジョブデータ格納部１１４に格納する。また、ジョブデータ格納部１１４に格納するか否かがＪＤＦ情報に記述されている場合、システム制御部１１３はその記述に従う。
【００９１】
ジョブデータ格納部１１４にジョブデータを格納する場合とは、例えばＤＦＥ１００において印刷内容のプレビューを行う場合等である。この場合、システム制御部１１３は、ジョブデータに含まれる印刷対象のデータ、即ちＰＤＬ情報や中間データを、ジョブデータ格納部１１４から取得してプレビューデータを生成してＵＩ制御部１１５に受け渡す。これにより、ＵＩ制御部１１５は、印刷内容のプレビューをディスプレイ１０２に表示させる。
【００９２】
プレビューデータの生成に際して、システム制御部１１３はジョブ制御部１１６に印刷対象のデータを受け渡してプレビューデータの生成を要求する。ジョブ制御部１１６はＲＩＰ部１１８に印刷対象のデータを受け渡してプレビューデータを生成させ、生成されたプレビューデータをシステム制御部１１３に受け渡す。
【００９３】
また、ＤＦＥ１００においてオペレータがＪＤＦ情報の変更を行う場合も、ジョブデータ格納部１１４にジョブデータが格納される。この場合、システム制御部１１３は、ＪＤＦ情報をジョブデータ格納部１１４から取得してＵＩ制御部１１５に受け渡す。これにより、ディスプレイ１０２にジョブデータのＪＤＦ情報が表示され、オペレータが操作によって変更することが可能となる。
【００９４】
オペレータがＤＦＥ１００を操作してＪＤＦ情報を変更した場合、ＵＩ制御部１１５は変更内容を受け付けてシステム制御部１１３に通知する。システム制御部１１３は、受け付けた変更内容を対象のＪＤＦ情報に反映して更新し、更新後のＪＤＦ情報をジョブデータ格納部１１４に記憶させる。
【００９５】
システム制御部１１３は、原則としてジョブデータ格納部１１４に格納されているジョブデータを格納された順に取り出し、ジョブ制御部１１６に受け渡す。また、ＤＦＥ１００における実行指示を待って実行することがＪＤＦ情報において記述されているジョブデータの場合、ジョブ実行の指示を受け付けると、ジョブデータ格納部１１４に格納されたジョブデータをジョブ制御部１１６に受け渡す。
【００９６】
ジョブ実行の指示は、ＨＷＦサーバ４からネットワークを介して入力される場合や、ＤＦＥ１００に対するオペレータの操作によって入力される。また、例えば、ＪＤＦ情報にジョブの実行時刻が設定されている場合、システム制御部１１３は、設定時刻になるとジョブデータ格納部１１４に格納されたジョブデータをジョブ制御部１１６に受け渡す。
【００９７】
ジョブデータ格納部１１４は、このようにジョブデータを格納するための記憶領域であり、図２において説明したＨＤＤ４０等によって実現される。この他、ＤＦＥ１００にＵＳＢインタフェース等を介して接続された記憶装置や、ネットワークを介して接続された記憶装置であっても良い。
【００９８】
ＵＩ制御部１１５は、上述したようにディスプレイ１０２への情報の表示や、ＤＦＥ１００に対するオペレータの操作を受け付ける。上述したＪＤＦ情報の編集操作において、ＵＩ制御部１１５はＪＤＦ情報を解釈してディスプレイ１０２に印刷ジョブの内容を表示する。
【００９９】
ジョブ制御部１１６は、システム制御部１１３からのジョブの実行指示に基づいてジョブの実行に係る制御を行う。具体的に、ジョブ制御部１１６が行う制御は、ＪＤＦ解析部１１７によるＪＤＦ解析処理、ＲＩＰ部１１８によるＲＩＰ処理、プリンタ制御部１２２によるデジタルエンジン１５０の制御処理である。
【０１００】
ジョブ制御部１１６は、システム制御部１１３からジョブの実行指示を受けると、ジョブデータに含まれるＪＤＦ情報をＪＤＦ解析部１１７に入力してＪＤＦ変換要求を行う。ＪＤＦ変換要求とは、ＪＤＦ情報の生成元の形式で記述されたＪＤＦ情報を、ＲＩＰ部１１８において認識可能な形式に変換する処理の要求である。即ち、ＪＤＦ解析部１１７が、処理設定情報変換部として機能する。
【０１０１】
他方、上述したように“パススルーモード”が指定されている場合、ジョブ制御部１１６は、システム制御部１１３から取得したジョブデータに含まれるＪＤＦ情報を、そのままＲＩＰ部１１８に入力する。“パススルーモード”の指定は例えば個別ジョブ受信部１１２によってＪＤＦ情報に記述される。また、個別ジョブ受信部１１２によって“パススルーモード”の指定がされた場合、指定されたＲＩＰエンジン１２０に応じて「ページモード」、「シートモード」の指定も記述される。
【０１０２】
ＪＤＦ解析部１１７は、上述したように生成元の形式で記述されたＪＤＦ情報をＲＩＰ部１１８において認識可能な形式に変換する。ＪＤＦ解析部１１７は内部に変換テーブルを保持しており、その変換テーブルに従ってＪＤＦ情報に含まれる情報のうちＲＩＰ部１１８において必要な情報を抜き出して記述形式を変換する。これにより、上述したＤＦＥ内ジョブ属性が生成される。
【０１０３】
図７は、本実施形態に係るＪＤＦ解析部１１７が保持している変換テーブルの例を示す図である。図７に示すように、本実施形態に係る変換テーブルは、ＪＤＦ情報における記述形式とＤＦＥ内ジョブ属性における記述形式とが関連付けられた情報である。例えば、図３において説明した“部数”の情報は、実際のＪＤＦ情報においては“Ａ・Ａｍｏｕｎｔ”と記述されており、ＤＦＥ内ジョブ属性の生成に際して“部数”という記述に変換される。
【０１０４】
図７に示すような変換テーブルを用いたＪＤＦ解析部１１７の処理により、ＤＦＥ内ジョブ属性が生成される。ＤＦＥ内ジョブ属性において記述される情報は、例えば図３に示す“ジョブ情報”、“エディット情報”、“フィニッシング情報”等である。
【０１０５】
また、ＪＤＦ解析部１１７は、ＤＦＥ内ジョブ属性の生成に際して、ＤＦＥ内ジョブ属性に“ＲＩＰ制御モード”を設定する。“ＲＩＰ制御モード”には、「ページモード」、「シートモード」等が設定される。ＪＤＦ解析部１１７は、ジョブデータを受信した個別ジョブ受信部１１２の種類、ジョブの内容、ジョブデータの送信元であるＨＷＦサーバ４を構成するＨＷＦソフトウェア等に応じて“ＲＩＰ制御モード”を割り当てる。
【０１０６】
本実施形態においては、印刷ジョブにおける集約印刷の設定を「ページモード」で扱っている。“ＲＩＰ制御モード”について詳細は後述する。
【０１０７】
ジョブ制御部１１６は、ＪＤＦ解析部１１７によって生成されたＤＦＥ内ジョブ属性に基づいて“ＲＩＰパラメータ”を生成し、ＲＩＰ部１１８のＲＩＰ制御部１１９に対してＲＩＰパラメータを受け渡すことによりＲＩＰ処理を実行させる。これにより、ＲＩＰ部１１８においてはＲＩＰパラメータに基づいてＲＩＰ処理が実行される。
【０１０８】
図８は、本実施形態に係るＲＩＰパラメータの内容を示す図である。本実施形態に係るＲＩＰパラメータは、冒頭の情報として“入出力データ種類”、“データ読み込み情報”、“ＲＩＰ制御モード”を含む。“入出力データ種類”は、「ＪＤＦ」、「ＰＤＬ」等、入出力データの種類を指定する。指定の形式は、「ＪＤＦ」、「ＰＤＬ」等の他、テキスト形式や画像データの拡張子、中間データ等である。
【０１０９】
“データ読み込み情報”は、入出力データの読み込み位置、書き込み位置の指定方法や、指定位置の情報である。“ＲＩＰ制御モード”は、「ページモード」、「シートモード」の情報である。この他、冒頭の情報としては、ＲＩＰパラメータ内で使用する単位の情報や、データの圧縮方式の情報が含まれる。
【０１１０】
“入出力画像情報”は、“出力画像に関する情報”、“入力画像に関する情報”、“画像の取り扱いに関する情報”を含む。“出力画像に関する情報”は、出力画像データのフォーマット、解像度、サイズ、カラー分解、カラーシフト、ページ向き等の情報を含む。また、“入力画像に関する情報”は、入力画像データのフォーマット、解像度、ページ範囲、カラー設定等の情報を含む。“画像の取り扱いに関する情報”は、拡大縮小アルゴリズムのオフセット、オブジェクト領域、ハーフトーンのオフセット等の情報を含む。
【０１１１】
“ＰＤＬ関連情報”は、ＲＩＰパラメータが対象とするＰＤＬ情報に関連する情報であり、“データ領域”、“サイズ情報”、“データ配置方式”の情報を含む。尚、ここで言うＰＤＬ情報は、ジョブにおいて印刷対象となるデータであり、中間データの場合を含む。“データ領域”は、ＰＤＬ情報の格納されている領域情報を指定する。“サイズ情報”は、ＰＤＬ情報のデータサイズを指定する。“データ配置方式”は、「リトルエンディアン」、「ビッグエンディアン」等、ＰＤＬ情報のメモリにおけるデータ配置方式を指定する。
【０１１２】
他方、“パススルーモード”の場合、ジョブ制御部１１６は、ＪＤＦ情報及びＰＤＬ情報又は中間データに基づいてＲＩＰパラメータを生成する。この場合、ＲＩＰパラメータを構成する各項目には、対応するＪＤＦ情報の項目を参照するための情報が設定される。
【０１１３】
図８に示すように、ＲＩＰパラメータには“ＲＩＰ制御モード”が含まれる。ＲＩＰ制御部１１９は、“ＲＩＰ制御モード”に応じてＲＩＰエンジン１２０を制御する。従って、“ＲＩＰ制御モード”に従ってシーケンスが決定される。上述したように、“ＲＩＰ制御モード”には「ページモード」、「シートモード」が設定される。
【０１１４】
「ページモード」は、１枚の用紙に集約された複数の集約前のページ毎にＲＩＰ処理を実行してラスターデータを生成する処理である。「シートモード」は、１枚の用紙に集約される複数ページ毎にＲＩＰ処理を実行して、１枚に集約されたラスターデータを生成する処理である。
【０１１５】
また、“パススルーモード”の場合、“ＲＩＰ制御モード”に「パススルーモード」が指定される。但しこれは一例であり、“ＲＩＰ制御モード”以外の項目に「パススルーモード」が記述されていても良い。
【０１１６】
また、ジョブ制御部１１６は、ＲＩＰパラメータに“ＲＩＰエンジン識別情報”を設定する。“ＲＩＰエンジン識別情報”は、ＲＩＰ部１１８に含まれる複数のＲＩＰエンジン１２０を識別する情報である。本実施形態においては、ＨＷＦサーバ４に搭載されているＲＩＰエンジン４２０に対応した同一のＲＩＰエンジンがＤＦＥ１００において用いられる。
【０１１７】
そのため、ＪＤＦ情報には、上述したように個別ジョブ受信部１１２を指定する情報が含まれており、そのように指定された個別ジョブ受信部１１２によってジョブデータが受信される。個別ジョブ受信部１１２は、ＲＩＰエンジン１２０のいずれかに対応しており、対応するＲＩＰエンジン１２０の識別情報を、受信したＪＤＦ情報に付加する。ジョブ制御部１１６は、このようにＪＤＦ情報に付加されたＲＩＰエンジン１２０の識別情報に基づき、上述した“ＲＩＰエンジン識別情報”をＲＩＰパラメータに付加する。
【０１１８】
ＲＩＰ部１１８においては、ＲＩＰ制御部１１９が複数のＲＩＰエンジン１２０を制御し、入力されたＲＩＰパラメータに基づいてＲＩＰ内部処理を実行させてラスターデータを生成する。ここで、本実施形態に係るＲＩＰ制御部１１９は、本実施形態に係るシステムが、異なる複数のＨＷＦサーバ４から印刷ジョブを受信する可能性があることに対応するための機能を有する。
【０１１９】
異なる種類のＨＷＦサーバ４においては、印刷ジョブにおけるデータの取り扱い方法が異なる場合がある。例えば、上述した「ページモード」、「シートモード」等の“ＲＩＰ制御モード”の違いである。「ページモード」に対応したＲＩＰエンジン１２０の場合、集約印刷に際しては、集約数に応じた元ページのデータが夫々順番に指定される。
【０１２０】
他方、「シートモード」に対応したＲＩＰエンジン１２０の場合、集約前の元ページのデータが全て指定されてＲＩＰ処理が実行される。即ち、ＲＩＰエンジン１２０に対するパラメータの指定方法が異なる。このような差異は“ＲＩＰ制御モード”に限らない。例えば、元データの余白の取り扱い等、元データの形式や取扱い方法の差異によって発生する。
【０１２１】
このような差異に対応するため、本実施形態に係るＲＩＰ制御部１１９は、ＲＩＰ処理を実行させるＲＩＰエンジン１２０に応じて、ＲＩＰエンジン１２０に対して指定するパラメータの変換処理を行う。例えば、「シートモード」に対応したＲＩＰエンジン１２０に対して、「ページモード」に対応したデータを入力する場合、「ページモード」で記述されたパラメータを「シートモード」に変換する処理を行う。ＲＩＰエンジン１２０の機能については後に詳述する。
【０１２２】
画像格納部１２１は、ＲＩＰエンジン１２０によって生成されたラスターデータを記憶する記憶部である。画像格納部１２１は、図２において説明したＨＤＤ４０等によって実現される。この他、ＤＦＥ１００にＵＳＢインタフェース等を介して接続された記憶装置や、ネットワークを介して接続された記憶装置であっても良い。
【０１２３】
プリンタ制御部１２２は、デジタルエンジン１５０と接続されており、画像格納部１２１に格納されたラスターデータを読み出してデジタルエンジン１５０に送信することによって印刷出力を実行させる。また、ジョブ制御部１１６からＤＦＥ内ジョブ属性に含まれるフィニッシング情報を取得することにより、仕上げ処理のための制御を行う。
【０１２４】
プリンタ制御部１２２は、デジタルエンジン１５０との間で情報をやり取りすることにより、デジタルエンジン１５０自身の情報を取得することが出来る。例えばＣＩＰ４規格の場合、ＪＤＦ情報の規格としてデバイス仕様情報をプリンタと送受信するＤｅｖＣａｐｓという規格が定められている。また、ＳＮＭＰ（Ｓｉｍｐｌｅ  Ｎｅｔｗｏｒｋ  Ｍａｎａｇｅｍｅｎｔ  Ｐｒｏｔｏｃｏｌ）という通信プロトコルとＭＩＢ（Ｍａｎａｇｅｍｅｎｔ  Ｉｎｆｏｒｍａｔｉｏｎ  Ｂａｓｅ）というデータベースとを利用したプリンタの情報の収集方法も知られている。
【０１２５】
デバイス情報管理部１２３は、ＤＦＥ１００自身やデジタルエンジン１５０の情報であるデバイス情報を管理する。デバイス情報には、ＲＩＰ部１１８に含まれるＲＩＰエンジン１２０の情報や、ジョブ受信部１１１において構成されている個別ジョブ受信部１１２の情報が含まれる。そして、個別ジョブ受信部１１２の情報として、上述した“パススルーモード”の情報も含まれる。
【０１２６】
デバイス情報通信部１２４は、ＭＩＢやＪＭＦ（Ｊｏｂ  Ｍｅｓｓａｇｉｎｇ  Ｆｏｒｍａｔ）などの仕様に合わせた形で、ネットワークＩ／Ｆ１０１を介してＨＷＦサーバ４との間でデバイス情報のやり取りを行う。これにより、ＨＷＦサーバ４のデバイス情報通信部４１５が、ＤＦＥ１００からデバイス情報を取得する。その結果、クライアント端末５に表示されたＧＵＩにおいて、ＤＦＥ１００に含まれるＲＩＰエンジン１２０の情報や、個別ジョブ受信部１１２の情報が反映されることとなる。
【０１２７】
ＤＦＥ１００においてプリンタ制御部１２２によってデジタルエンジン１５０が制御されて印刷出力が完了すると、システム制御部１１３はジョブ制御部１１６を介してそれを認識する。そして、システム制御部１１３は、ジョブ受信部１１１を介して印刷ジョブの完了通知をＨＷＦサーバ４に通知する。これにより、ＨＷＦサーバ４のジョブ送受信部４２１がジョブの完了通知を受け付ける。
【０１２８】
ＨＷＦサーバ４においては、ジョブ送受信部４２１がジョブ制御部４１３にジョブ完了通知を転送し、ジョブ制御部４１３がワークフロー制御部４１８にジョブ完了を通知する。ＨＷＦサーバ４からＤＦＥ１００へのジョブデータの送信は、元々ワークフロー制御部４１８がワークフロー情報に従って実行したものである。
【０１２９】
ワークフロー制御部４１８は、ＤＦＥ１００によるジョブの完了を認識すると、ワークフロー情報に従って次の処理の実行を制御する。ＤＦＥ１００による印刷出力の次に設定される処理としては、例えば後処理装置３による後処理等がある。
【０１３０】
次に、本実施形態に係るＲＩＰエンジンの機能構成について説明する。図９は、ＪＤＦ解析部１１７によるＪＤＦ解析処理を伴う場合のＲＩＰエンジン１２０の機能構成を示す図である。上述したように、ＲＩＰエンジン１２０は図８において説明したＲＩＰパラメータに基づいてＲＩＰ内部処理を実行してラスターデータを生成するソフトウェアモジュールである。ＲＩＰエンジンとしては、例えばアドビ・システムズによって提供されるＰＤＦプリンティングエンジンであるＡＰＰＥ等がベースとして用いられる。
【０１３１】
図９に示すように、ＲＩＰエンジン１２０は、制御部２０１と他の部分とによって構成される。制御部２０１以外の部分が、ベンダーによって拡張可能な拡張部である。制御部２０１は、拡張部として含まれる様々な機能を利用することによりＲＩＰ処理を実行する。
【０１３２】
入力部２０２は、初期化要求やＲＩＰ処理の実行要求を受け付け、その要求を制御部２０１に通知する。初期化要求に際しては、上述したＲＩＰパラメータも共に制御部２０１に入力される。初期化要求を受けた制御部２０１は、同時に受け付けたＲＩＰパラメータをＲＩＰパラメータ解析部２０３に入力する。そして、ＲＩＰパラメータ解析部２０３の機能によりＲＩＰパラメータの解析結果を取得し、ＲＩＰ処理においてＲＩＰエンジン１２０に含まれる夫々の拡張部を動作させる順番を決定する。また、それらの処理の結果生成されるデータの形式が、ラスタイメージ、プレビューイメージ、ＰＤＦ、中間データ等のいずれかを決定する。
【０１３３】
また、制御部２０１は、入力部２０２からＲＩＰ処理の実行要求を受け付けると、初期化要求を受け付けた際に決定した処理順に従って拡張部の各部を動作させる。プリフライト処理部２０４は、入力されたＰＤＬデータの内容の妥当性の確認を行う。そして、不正なＰＤＬ属性を発見した場合、制御部２０１に通知する。この通知を受けた制御部２０１は、出力部２１３を介してＲＩＰ制御部１１９やジョブ制御部１１６等の外部モジュールに通知を行う。
【０１３４】
プリフライト処理によって確認される属性の情報としては、例えば非対応のフォントが指定されていないか否か等、ＲＩＰエンジン１２０に含まれる他のモジュールによる処理が不可能になる事態が発生し得る情報である。
【０１３５】
ノーマライズ処理部２０５は、入力されたＰＤＬデータがＰＤＦではなくＰｏｓｔＳｃｒｉｐｔである場合にＰＤＦに変換する。マーク処理部２０６は、指定されたマークのグラフィック情報を展開し、印刷対象の画像において指定された位置に重畳する。
【０１３６】
フォント処理部２０７は、フォントデータを取り出し、フォントのＰＤＬへの埋め込みフォント化、アウトライン化を行う。ＣＭＭ（Ｃｏｌｏｒ  Ｍａｎａｇｅｍｅｎｔ  Ｍｏｄｕｌｅ）処理部２０９は、ＩＣＣ（Ｉｎｔｅｒｎａｔｉｏｎａｌ  Ｃｏｌｏｒ  Ｃｏｎｓｏｒｔｉｕｍ）プロファイルに記述された色変換テーブル等に基づいて、入力画像の色空間をＣＭＹＫ（Ｃｙａｎ，Ｍａｇｅｎｔａ，Ｙｅｌｌｏｗ，ｂｌａｃＫ）へ変換する。
ＩＣＣプロファイルとは、カラーＩＣＣ情報、デバイスＩＣＣ情報である。
【０１３７】
Ｔｒａｐｐｉｎｇ処理部２１０は、トラッピング処理を行う。トラッピング処理とは、境界を接して隣接している異なる色の領域について位置ずれが生じた場合に境界部分に隙間が生じることを防ぐため、夫々の色の領域を拡張して隙間が埋まるようにする処理である。
【０１３８】
Ｃａｌｉｂｒａｔｉｏｎ処理部２１１は、ＣＭＭ処理部２０９による色変換の精度を高めるため、出力デバイスの経時変動や個体差による発色バランスのばらつきの調節作業を実施する。尚、Ｃａｌｉｂｒａｔｉｏｎ処理部２１１による処理は、ＲＩＰエンジン１２０の外部において実行される場合もあり得る。
【０１３９】
Ｓｃｒｅｅｎｉｎｇ処理部２１２は、最終出力を意識した網点の生成処理を実施する。尚、Ｓｃｒｅｅｎｉｎｇ処理部２１２による処理は、Ｃａｌｉｂｒａｔｉｏｎ処理部２１１による処理と同様に、ＲＩＰエンジン１２０の外部において実行される場合もあり得る。出力部２１３は、外部にＲＩＰ結果を送信する。ＲＩＰ結果は、初期化時に決定したラスタイメージ、プレビューイメージ、ＰＤＦ、中間データのいずれかである。
【０１４０】
レンダリング処理部２１８は、入力データに基づいてラスターデータを生成するレンダリング処理を行う。尚、図９に示す各処理部のうち、マーク処理部２０６、フォント処理部２０７による処理は、レンダリング処理部２１８において同時に実行される場合もある。
【０１４１】
次に、ＪＤＦ解析部１１７によるＪＤＦ解析処理を伴わない場合のＲＩＰエンジン１２０の機能構成について、図１０を参照して説明する。上述したように、ＪＤＦ解析部１１７によるＪＤＦ解析処理を伴わない場合とは、ＨＷＦサーバ４とＤＦＥ１００とでＲＩＰ内部処理を分散する場合である。従って、図１０に示すＲＩＰエンジン１２０と同様の構成をＨＷＦサーバ４に搭載されるＲＩＰエンジン４２０も含む。
【０１４２】
図１０に示すように、ＪＤＦ解析部１１７によるＪＤＦ解析処理を伴わない場合のＲＩＰエンジン１２０の機能構成は、大部分は図９において説明した構成と同一である。以下、図９とは異なる部分のみ説明する。制御部２０１以外の部分が拡張部であることも図９と同様である。
【０１４３】
図１０の例における制御部２０１は、入力部２０２から初期化要求を受け付けると、初期化要求と共にＪＤＦ情報を取得する。そして、制御部２０１は、ジョブ属性解析部２１４の機能を利用してＪＤＦ情報及びＰＤＬ情報を解析し、図９の場合と同様に拡張部夫々の処理順や処理の結果生成されるデータの形式を決定する。
【０１４４】
特に、ＤＦＥ１００に搭載されたＲＩＰエンジン１２０の場合、処理結果のデータ形式はプリンタ制御部１２２に入力するためのラスターデータとなることが多い。これに対して、ＨＷＦサーバ４に搭載されたＲＩＰエンジン４２０の場合、処理結果のデータ形式は、ＨＷＦサーバ４とＤＦＥ１００との処理の分散態様に応じて異なる。従って、ＲＩＰエンジン４２０における制御部２０１は、ジョブ属性解析部２１４による解析結果に基づき、ＰＤＬ情報や中間データ等の処理結果のデータ形式を決定する。
【０１４５】
また、制御部２０１は、ＲＩＰステータス解析部２１５の機能を利用して、ＪＤＦ情報に含まれるＲＩＰステータスの情報を解析し、既に実行済みのＲＩＰ内部処理の有無を確認する。既に実行済みのＲＩＰ内部処理部がある場合は、対応する拡張部を処理の対象から除外する。
【０１４６】
尚、ＲＩＰステータス解析部２１５は、ＪＤＦ情報に含まれるＲＩＰステータスを解析する場合の他、ＰＤＬ情報を解析して同様の処理を実行することも可能である。ＰＤＬ情報の場合、既に実行されたＲＩＰ内部処理についてはパラメータ等の属性情報が消えているので、残っている属性情報に基づいて未実行であるＲＩＰ内部処理を判断することが可能である。
【０１４７】
レイアウト処理部２１７は、面付け処理を実行する。ＲＩＰステータス管理部２１６は、制御部２０１の制御に従い、夫々の拡張部によって実行されたＲＩＰ内部処理に対応するＲＩＰステータスを「Ｄｏｎｅ」に書き換える。出力部２１３は、エンジンの外部にＲＩＰ結果を送信する。ＲＩＰ結果は、初期化時に決定したデータ形式のデータである。
【０１４８】
図１０に示すレンダリング処理部２１８も、図９と同様に入力データに基づいてラスターデータを生成するレンダリング処理を行う。そして、図１０示す各処理部のうち、マーク処理部２０６、フォント処理部２０７による処理に加えて、レイアウト処理部２１７による処理が、レンダリング処理部２１８において同時に実行される場合もある。
【０１４９】
また、上述したように、ＪＤＦ情報に含まれる“ＲＩＰデバイス指定”の情報によっては、「ＤＦＥ（エンジンＡ）」、「ＤＦＥ（エンジンＢ）」のように、ＤＦＥ１００内部に搭載された複数のＲＩＰエンジン１２０を使い分ける場合がある。制御部２０１では、他のＲＩＰエンジンの拡張部に処理を委託することは出来ないため、ジョブ制御部１１６によって処理される。
【０１５０】
上述したように、ジョブ制御部１１６は、“ＲＩＰエンジン識別情報”をＲＩＰパラメータに付加する。この際、異なるＲＩＰエンジンが指定されたＲＩＰ内部処理毎に、異なるＲＩＰパラメータを生成する。図３の例の場合、“フォント”、“レイアウト”の実行が指定された「エンジンＡ」用のＲＩＰパラメータと、“マーク”の実行が指定された「エンジンＢ」用のＲＩＰパラメータと、それ以降の処理の実行が指定された「エンジンＡ」用のＲＩＰパラメータとを生成する。
【０１５１】
そして、ジョブ制御部１１６は、ＲＩＰ内部の処理の順番に従って、生成したＲＩＰパラメータ毎に順番にＲＩＰ部１１８にＲＩＰ処理を要求する。これにより、「エンジンＡ」、「エンジンＢ」が使い分けられてＲＩＰ内部処理が実行される。
【０１５２】
この際、夫々のエンジンにおいて指定された処理のみが実行されるようにする方法として、“ＲＩＰステータス”の情報を参照することが出来る。即ち、実行させる処理の項目のみステータスを「ＮｏｔＹｅｔ」とし、他の処理を「Ｄｏｎｅ」とすることにより、指定した処理のみを実行させることが出来る。
【０１５３】
尚、上述したように、本実施形態に係るシステムにおいては、ＨＷＦサーバ４に搭載されているＲＩＰエンジン４２０と共通のＲＩＰエンジン１２０がＤＦＥ１００に搭載されている。ここで、共通化されたＲＩＰエンジンとは、少なくともラスターデータの生成に関する部分である。
【０１５４】
従って、ＲＩＰエンジン４２０とＲＩＰエンジン１２０とは、図９、図１０に示す夫々の処理部の全てが共通化されているのではない。少なくとも、マーク処理部２０６、フォント処理部２０７、レイアウト処理部２１７及びレンダリング処理部２１８等の、ラスターデータの生成に係る処理部が共通化されていれば良い。尚、ラスターデータの生成に係る処理部が共通化されるのは最低限の構成であり、他の処理部について共通化されていても良い。
【０１５５】
次に、本実施形態に係るシステムの動作について、図１１を参照して説明する。図１１は、本実施形態に係るＨＷＦシステムの動作を示すシーケンス図である。図１１においては、デジタルプリンタ１により印刷出力が実行される場合の例を示している。図１１に示すように、ＨＷＦサーバ４においては、デバイス情報通信部４１５がネットワークを介してＤＦＥ１００やＣＴＰ２００からデバイス情報を取得し、デバイス情報管理部４１６がデバイス情報格納部４１７に情報を登録する（Ｓ１１０１）。Ｓ１１０１の処理は定期的に実行される。
【０１５６】
他方、クライアント端末５は、システムのＧＵＩに対するオペレータの操作によりジョブデータの登録操作が行われると、ＨＷＦサーバ４に対してジョブ登録要求を送信する（Ｓ１１０２）。ＨＷＦサーバ４においてはＵＩ制御部４１２がジョブ登録要求を取得する。これにより、システム制御部４１０の制御に従ってデータ受信部４１１がジョブデータを取得する（Ｓ１１０３）。
【０１５７】
データ受信部４１１によってジョブデータが取得されると、システム制御部４１０はジョブ制御部４１３を制御し、取得したジョブデータの形式をＰＤＬ形式に変換する（Ｓ１１０４）。このようにして変換されたジョブデータがジョブデータ格納部４１４に登録される。Ｓ１１０２においてジョブの登録操作が行われるＧＵＩにおいては、登録対象のデータをファイルパス等により指定するためのインタフェースの他、図３において説明したＪＤＦに含まれる情報の項目を夫々指定するための入力部が表示される。
【０１５８】
複数のページが１枚のシートに面付けされて印刷出力される場合においては、折り位置や裁断位置などを示すマークが付与される。これらのマークは、Ｓ１１０２においてオペレータがＧＵＩを介して設定する。図１２は、マークを設定するためのＧＵＩであるマーク設定画面の例を示す図である。
【０１５９】
図１２に示すようにマーク設定画面においては、“裁ちトンボ”、“コーナートンボ”、“センタートンボ”、“クワエ”、“ドブ”等のマークやレイアウトについて、用紙上
の位置を指定するための入力欄が表示される。オペレータは、クライアント端末５を操作して夫々の入力欄に情報を入力することにより、面付け印刷におけるマークやレイアウトの設定を行う。
【０１６０】
図１３は、図１２に示すようなマーク設定画面に対する情報の入力に応じて表示されるマークやレイアウトの例を示す図である。図１３に示すようにマークやレイアウトをＧＵＩ上に表示することにより、オペレータによる情報の入力作業を効率的に補助することが可能となる。このようにして入力された情報が、Ｓ１１０２においてＨＷＦサーバ４に送信され、図３に示すＪＤＦ情報の一部として用いられる。
【０１６１】
このように、出力対象の画像情報に対して、各種の設定がされて生成されたジョブデータが出力命令情報として用いられる。そして、上述したように、ジョブデータにはシートサイズ、面付け等の印刷出力の結果物の丁合に関連する条件の設定や、丁合に関する図形であるマークの設定が含まれる。それらの設定を受け付けてジョブデータを生成するシステム制御部４１０が出力命令情報取得部として機能する。
【０１６２】
また、Ｓ１１０１の処理により、ＨＷＦサーバ４においては、ＤＦＥ１００に搭載されているＲＩＰエンジンの種類の情報が取得されている。従って、クライアント端末５のＧＵＩにおいては、図３に示す“ＲＩＰデバイス指定”の情報を指定するための入力欄においては、ＤＦＥに実行させる場合に、どのＲＩＰエンジンに実行させるかを選択することが可能となる。このようにして各種の条件設定がされてジョブデータ格納部４１４に格納されたジョブデータが、出力命令情報として用いられる。
【０１６３】
また、クライアント端末５は、システムのＧＵＩに対するオペレータの操作によりジョブデータの分割操作が行われると、ＨＷＦサーバ４に対してジョブ分割要求を送信する（Ｓ１１０５）。Ｓ１１０５におけるジョブ分割要求に際して、オペレータは、図１４に示すような出力先設定画面を介してジョブの分割態様を指定する。図１４に示すように、出力先設定画面においては、「オフセットプリンタ」、「デジタルプリンタ」を指定するための出力先指定欄と、夫々の出力先に出力させるページ範囲を指定するページ範囲指定欄とが表示される。
【０１６４】
ページ範囲指定欄において指定可能なページ範囲は、出力先指定欄において指定された出力先の装置において対応している面付け数の倍数である。そのため、出力先設定画面を表示するための表示情報は、ページ範囲指定欄において指定可能なページ数として、指定された出力先の装置に応じた数のみが指定可能なように構成される。
【０１６５】
図１５は、図１４に示す出力先設定画面において設定された情報に基づき、Ｓ１１０５において送信されるジョブ分割要求に含まれる情報の例を示す図である。図１５に示すように、分割対象のジョブを示す情報の他、分割の内容が指定された情報がジョブ分割要求において送信される。分割の内容を示す情報は、印刷出力を実行するデバイスがページ単位で指定された情報である。図１５に示す情報が、複数ページによって構成される出力対象の画像について、ページ毎に異なる出力先を指定する出力先指定情報として用いられる。
【０１６６】
本実施形態においては、１冊の冊子を構成する印刷物、即ち、１つのジョブデータによって出力される印刷物に含まれる複数のページの出力先が、デジタルプリンタ１とオフセットプリンタ２とに分割される場合を例としている。そのような出力先の指定は、例えばこのＳ１１０５における分割要求によってＨＷＦサーバ４に伝えられる。
【０１６７】
ジョブ分割要求を受けたＨＷＦサーバ４においては、ジョブ制御部４１３が、図１５に示す情報において指定されている分割対象ジョブについて、分割内容に従ってページ単位でジョブを分割し、別個のジョブを生成する（Ｓ１１０６）。この際、夫々の分割範囲毎に指定されているデバイスが、ＪＤＦ情報において図３に示す“デバイス指定”の情報として用いられる。
【０１６８】
ジョブデータが分割されると、面付け変換部４２２が、面付けの変換処理を行う（Ｓ１１０７）。例えば、元のジョブデータにおいてＡ１サイズのシートに８面の面付けで印刷を行うようになっていた場合において、分割後、変更された出力先で使用可能なシートのサイズが最大でＡ３であった場合、面付け状態を変更しなければ印刷出力が出来ない。
【０１６９】
従って面付け変換部４２２は、デバイス情報格納部４１７に格納されているデバイス情報を取得する。この情報には、上述したように、丁合に関する条件の対応機能の情報が含まれる。そして、面付け変換部４２２は、分割前のジョブデータにおける印刷条件と、分割後に変更された出力先の装置の対応機能とを比較し、指定された出力先の機能に応じて面付けの変換を行う。
【０１７０】
また、面付け状態が変更された場合、図１２に示すマーク設定画面において指定され、図１３に示すように設定されたマークの情報は利用不可能となる。従って面付け変換部４２２はＳ１１０７の処理において、面付けを変更した後、ＪＤＦ情報に含まれるマークの情報を、変更された出力先の機能の情報に基づいて変換する。即ち、面付け変換部４２２が、設定変換部として機能する。
【０１７１】
ここで、面付け変換部４２２は、Ｓ１１０７においてマークの情報を変換するため、出力先が変更される前の元の印刷条件と、変更後の印刷条件とに基づいてマークの変更の有無や変更する場合の変更態様が指定されたマーク変換情報を保持している。図１６は、そのようなマーク変換情報の一例を示す図である。
【０１７２】
図１６は、面付け変換部４２２が保持しているマーク変換情報の一例であって、元のジョブデータがシートサイズＡ１、片面の面付け数が８面、綴じ方が平綴じの場合の例を示す図である。図１６に示すように、本実施形態に係るマーク変換情報においては、「平綴じ」、「中綴じ」、「装置無し」、「製本機」といった綴じ方毎に、「トンボ（コーナー）」、「トンボ（ページセンター）」等のマーク類について変更の有無が指定されている。
【０１７３】
また、上記夫々の綴じ方は、Ａ３、Ａ４・・・のように分割されて変更された後のシートサイズ夫々について指定されている。更に、夫々のマーク類について変更がある場合には、「数式１」、「数式２」のように、マークの情報を変換するための数式が指定される。
【０１７４】
図１７は、面付け変換部４２２が保持しているマーク変換情報の一例であって、元のジョブデータがシートサイズＡ１、片面の面付け数が８面、綴じ方が中綴じの場合の例を示す図である。図１６、図１７に示すように、本実施形態に係るマーク変換情報は、分割前の元のジョブデータの印刷条件毎にテーブルが設けられている。そして、面付け変換部４２２は、元のジョブデータの印刷条件に対応したテーブルにおいて、分割後のジョブデータの印刷条件に応じた列を参照して各マークの情報の変更の要否を判断する。
【０１７５】
図１８は、図１６、図１７に示す「数式１」、「数式２」・・・といった各数式の情報のテーブルを示す図である。図１８に示すように、夫々の数式は、図１２に示すマーク設定画面において入力された“水平位置”、“垂直位置”、“線幅”の他、“総ページ数”、“対象ページ数”等をパラメータとして、変換後のマークの位置を算出する計算式である。
【０１７６】
面付け変換部４２２は、図１６、図１７に示す変換テーブルに基づいて夫々のマーク類毎に変換の有無や変換が必要な場合の数式を決定する。そして、数式が決定された場合には、図１８に示す数式のテーブルから抽出された数式に必要なパラメータを代入して、変換後のマークの情報を算出する。
【０１７７】
図１９は、Ｓ１１０７の処理の結果としてクライアント端末５に表示されるマーク変換結果確認画面の例を示す図である。図１８に示すようにマーク設定画面に準ずる画面において、夫々のマークの変換結果が表示される。また、変換の結果不要となるマークについては、例えば図１８に示す“クワエ”のように項目が無効であることが表示される。
【０１７８】
図２０は、図１９に示すマーク変換結果確認画面に応じて表示されるマークやレイアウトの例を示す図である。図２０に示すようにマークやレイアウトをＧＵＩ上に表示することにより、オペレータによる情報の確認作業を効率的に補助することが可能となる。このような処理により、ジョブデータの分割に伴うマークの再設定処理が完了する。このようにして分割して生成されたジョブが個別のジョブとしてジョブデータ格納部４１４に格納される。
【０１７９】
その後、クライアント端末５は、システムのＧＵＩに対するオペレータの操作によりワークフローの生成操作作が行われると、ＨＷＦサーバ４に対してワークフロー生成要求を送信する（Ｓ１１０８）。ワークフロー生成要求においては、図５に示すようなワークフローの内容を指定する情報及びそのワークフローに従って処理すべきジョブを特定する情報が送信される。
【０１８０】
ワークフロー生成要求を受けたＨＷＦサーバ４においては、システム制御部４１０が、要求と共に受信した情報をワークフロー制御部４１８に入力する。これにより、ワークフロー制御部４１８が、受信した情報に基づいて新たなワークフロー情報を生成してワークフロー情報格納部４１９に格納すると共に、そのワークフローと要求において特定されたジョブとを関連付ける（Ｓ１１０９）。ワークフローとジョブとの関連付けは、例えばワークフローを識別するための識別子をＪＤＦ情報に付加することによって実行される。
【０１８１】
このような処理の後、クライアント端末５においてシステムのＧＵＩに対するオペレータの操作によりジョブ実行操作が行われると、クライアント端末５がＨＷＦサーバ４に対してジョブ実行要求を送信する（Ｓ１１１０）。尚、Ｓ１１０２〜Ｓ１１１０の操作は夫々異なる操作に応じて実行されても良いし、一度の操作でジョブ登録要求、ジョブ分割要求、ワークフロー生成要求、ジョブ実行要求が行われても良い。
【０１８２】
ジョブ実行要求を受けたＨＷＦサーバ４においては、システム制御部４１０が、要求と共に受信したジョブデータを特定するための情報に基づき、ジョブデータ格納部４１４から指定されたジョブデータを取得する（Ｓ１１１１）。また、システム制御部は、取得したジョブデータにおいて指定されているデバイスの最新の情報をデバイス情報管理部４１６から取得し、ジョブに対してデバイスの情報を設定する（Ｓ１１１２）。
【０１８３】
その後、システム制御部４１０は、ワークフロー制御部４１８にジョブデータを受け渡し、ワークフローの実行を開始させる（Ｓ１１１３）。ワークフロー制御部４１８は、取得したジョブデータに関連付けられているワークフロー情報をワークフロー情報格納部４１９から取得し、ワークフロー情報に従って処理を実行する。
【０１８４】
ワークフロー処理においては、まずＨＷＦサーバ４に搭載されたＲＩＰエンジン４２０によって実行するべきサーバ内処理が実行される（Ｓ１１１４）。Ｓ１１１４においては、ジョブ制御部４１３がワークフロー制御部４１８の制御に従って上述したようにＲＩＰエンジン４２０に処理を実行させる。
【０１８５】
Ｓ１１０９における実行要求において指定された識別子が、Ｓ１１０５、Ｓ１１０６の処理において分割されたジョブの元のジョブデータの識別子である場合、分割された夫々のジョブに対する一括した実行要求として処理される。その場合、Ｓ１１１４のサーバ内処理においては、分割されたジョブの１つのジョブであるオフセット印刷のためのＲＩＰ処理が実行され、オフセットプリンタ２へのラスターデータの送信処理も実行される。
【０１８６】
上述したように、ＣＴＰ２００へのラスターデータの送信は、ジョブ送受信部４２１によって実行される。この場合、ジョブ送受信部４２１が、描画情報送信部として機能する。また、オフセットプリンタ２による出力結果のみで実行可能な後処理装置３による後処理についても、Ｓ１１１４によるサーバ内処理においてＨＷＦサーバ４から後処理装置３に対して実行要求が送信される。この場合も、ジョブ送受信部４２１が後処理装置３に対して後処理に係るジョブデータを送信する。
【０１８７】
その後、ワークフローの処理がＤＦＥ１００における処理に到達したら、ジョブ制御部４１３が、ワークフロー制御部４１８の制御に従い、ジョブ送受信部４２１を制御してＤＦＥ１００にジョブデータを送信させる（Ｓ１１１５）。Ｓ１１１５においては、ジョブ制御部４１３が、複数の個別ジョブ受信部１１２からＪＤＦ情報において指定されている情報に応じた個別ジョブ受信部１１２を指定する。
【０１８８】
ＤＦＥ１００へのジョブデータの送信に際して複数の個別ジョブ受信部１１２のいずれかが指定されることにより、ＤＦＥ１００において適切な個別ジョブ受信部１１２がジョブデータを受信することとなる。ＤＦＥ１００にジョブデータが入力されることにより、上述したように、ＤＦＥ１００においてＲＩＰ処理やデジタルエンジン１５０による出力処理が実行される（Ｓ１１１６）。
【０１８９】
ＤＦＥ１００においては、指定された処理が完了すると、ジョブ受信部１１１によってＨＷＦサーバ４に完了通知が行われる（Ｓ１１１７）。ジョブ制御部４１３は、ジョブ送受信部４２１を介してＤＦＥ１００からの完了通知を受け取ると、ワークフロー制御部４１８に完了通知を行う。これにより、ワークフロー制御部４１８は、ＤＦＥ１００での制御の次にワークフローで指定されている後処理を実行させるための後処理要求を後処理装置３に対して行う（Ｓ１１１８）。
【０１９０】
Ｓ１１１８においては、ジョブ制御部４１３がワークフロー制御部４１８の制御に従ってジョブ送受信部４２１を制御し、後処理装置３に対して後処理要求を行う。このような処理により、本実施形態に係るシステムの動作が完了する。
【０１９１】
次に、図１１のＳ１１１６におけるＤＦＥ内処理について図２１のフローチャートを参照して説明する。図２１に示すように、まずはＨＷＦサーバ４からのジョブデータの送信に際して指定された個別ジョブ受信部１１２がジョブデータを受信する（Ｓ２１０１）。個別ジョブ受信部１１２は、ジョブデータを受信すると、自身に対して設定されている個別設定をジョブデータに反映するようにＪＤＦ情報を更新する（Ｓ２１０２）。
【０１９２】
上述した“パススルーモード”の設定もＳ２１０２において反映されることとなる。個別設定の反映されたジョブデータはシステム制御部１１３に入力される。システム制御部１１３は、入力されたジョブデータを設定に応じてジョブデータ格納部１１４に格納し、オペレータの操作に応じてＵＩ制御部１１５を介してプレビュー処理等を行う。
【０１９３】
そして、オペレータの操作や設定された実行時間への到達等、ＤＦＥ１００におけるジョブの実行タイミングになると、システム制御部１１３は、ジョブデータをジョブ制御部１１６に入力する。ジョブ制御部１１６は、入力されたジョブデータを参照し、パススルーモードか否かを確認する（Ｓ２１０３）。その結果、パススルーモードでなかった場合（Ｓ２１０３／ＮＯ）、ジョブ制御部１１６はＪＤＦ解析部１１７にジョブデータを入力してＤＦＥ内ジョブ属性を生成させる（Ｓ２１０４）。
【０１９４】
Ｓ２１０３の確認の結果、パススルーモードであった場合（Ｓ２１０３／ＹＥＳ）、若しくはＪＤＦ変換が完了してＤＦＥ内ジョブ属性が生成された場合、ジョブ制御部１１６は、ＲＩＰパラメータを生成する（Ｓ２１０５）。パススルーモードではない場合、Ｓ２１０５においては、図８において説明したようなＲＩＰパラメータが生成される。他方、パススルーモードの場合、図８に示す情報のうち、“入出力画像情報”以外の情報を含むＲＩＰパラメータが生成され、他の部分はＪＤＦ情報が参照される。
【０１９５】
ジョブ制御部１１６は、ＲＩＰパラメータを生成すると、ＲＩＰ部１１８に必要な情報を入力してＲＩＰ処理を実行させる。これにより、まずはＲＩＰ制御部１１９が上述したパラメータ変換を行う（Ｓ２１０６）。そして、ＲＩＰ制御部１１９が、変換後のパラメータを指定してＲＩＰエンジン１２０にＲＩＰ処理を実行させる（Ｓ２１０７）。これにより、ＲＩＰエンジン１２０によってラスターデータが作成される。
【０１９６】
尚、Ｓ２１０５においては、上述したように、図３に示す“ＲＩＰデバイス指定”の情報に基づき、ＲＩＰエンジン毎にＲＩＰパラメータが生成される。そして、Ｓ２１０７においては、生成されたＲＩＰパラメータ毎に順番にＲＩＰ処理が実行されてラスターデータが生成される。
【０１９７】
ラスターデータが生成され、ＲＩＰ部１１８からラスターデータを取得すると、ジョブ制御部１１６は、プリンタ制御部１２２にラスターデータを入力して、デジタルエンジン１５０による印刷出力を実行させる（Ｓ２１０８）。このような処理により、ＤＦＥ内処理が完了する。
【０１９８】
次に、図１３のＳ２１０７におけるＲＩＰ処理について、図２２を参照して説明する。図２２に示すように、まずは入力部２０２に対する初期化要求に基づいて制御部２０１が初期化処理を実行する（Ｓ２２０１）。Ｓ２２０１においては、図９の例の場合、ＲＩＰパラメータ解析部２０３がＲＩＰパラメータを受け付けて解析を行い、上述したようにＲＩＰエンジン１２０に含まれる夫々の拡張部のうち処理を実行させる拡張部や、その順番を決定する。また、処理の結果生成されるデータの形式を決定する。
【０１９９】
また、図１０の例の場合、ジョブ属性解析部２１４が、ＪＤＦ情報及びＰＤＬ情報を受け付けて解析を行い、処理を実行させる拡張部や、その順番を決定する。また、処理の結果生成されるデータの形式を決定する。続いて、図１０の例の場合、制御部２０１は、ＲＩＰステータス解析部２１５にステータス解析を実行させる。
【０２００】
ステータス解析において、ＲＩＰステータス解析部２１５は、図３に示す“ＲＩＰステータス”を参照し、ＲＩＰ内部処理の１つの項目を選択する（Ｓ２２０２）。そして、そのステータスが「Ｄｏｎｅ」であれば（Ｓ２２０３／ＹＥＳ）、対応する拡張部を、Ｓ２２０２の処理において決定した実行対象の拡張部から除外する（Ｓ２２０４）。他方、「ＮｏｔＹｅｔ」であれば（Ｓ２２０３／ＮＯ）、特に処理は行わない。
【０２０１】
ＲＩＰステータス解析部２１５は、全てのＲＩＰ内部処理の項目についてＳ２２０２からの処理が完了するまで処理を繰り返す（Ｓ２２０５／ＮＯ）。ＲＩＰステータス解析部２１５が、全てのＲＩＰ内部処理の項目についてＳ２２０２からの処理を完了した後（Ｓ２２０５／ＹＥＳ）、入力部２０２がＲＩＰ処理の実行要求を取得すると（Ｓ２２０６／ＹＥＳ）、制御部２０１は、夫々の拡張部に対して順番に処理を実行させる（Ｓ２２０７）。
【０２０２】
Ｓ２２０７においては、Ｓ２２０１の処理において決定された拡張部であって、且つＳ２２０４の処理により除外されていない拡張部に対してのみ処理が要求される。また、Ｓ２２０１において決定された処理順に従って処理が要求される。そのようにして拡張部により処理が実行されてラスターデータが生成されると、出力部２１３が処理結果を出力する（Ｓ２２０８）。このような処理により、ＲＩＰ部１１８による処理が完了する。
【０２０３】
尚、本実施形態においては、図１０の例の場合、即ち、パススルーモードに対応しているＲＩＰエンジン１２０の場合についてのみ、Ｓ２２０２〜Ｓ２２０５の処理、即ちステータス解析処理が実行される場合を例としている。これは、ステータス解析処理が必要となるのは、上述したようにＨＷＦサーバ４とＤＦＥ１００とでＲＩＰ処理を分担する場合であることに基づいている。
【０２０４】
そのような場合には、ＨＷＦサーバ４とＤＦＥ１００とで同一のＲＩＰエンジンが搭載されていることを利用して、両者の境目を意識することなく一連の処理としてＲＩＰ処理を実行する。従って、ＨＷＦサーバ４においてＲＩＰエンジン４２０により処理されたデータをそのままＤＦＥ１００においてＲＩＰエンジン１２０に入力することが好ましく、ＲＩＰエンジンの外部に設けられたＪＤＦ解析部１１７を通さないパススルーモードが適している。
【０２０５】
しかしながら、これは一例であり、パススルーモードではない場合であっても、ＨＷＦサーバ４とＤＦＥ１００とでＲＩＰ処理を分担する場合であれば、ステータス解析を行うことが必要となる。即ち、ＨＷＦサーバ４とＤＦＥ１００とでＲＩＰ処理を分担する場合には、ＨＷＦサーバ４において既に実行されたＲＩＰ処理をＤＦＥ１００側で除外する必要がある。
【０２０６】
従って、パススルーモードに対応していないＲＩＰエンジン１２０であっても、ＨＷＦサーバ４とＤＦＥ１００とでＲＩＰ処理を分担するため、ＲＩＰステータス解析部２１５を設けても良い。換言すると、ＨＷＦサーバ４とＤＦＥ１００とでＲＩＰ処理を分担する場合であっても、ＤＦＥ１００側でＪＤＦ解析部１１７によるＪＤＦ解析を行った上で、ＲＩＰステータス解析部２１５によるステータス解析を行って必要なＲＩＰ内部処理を判断しても良い。
【０２０７】
本実施形態に係るＨＷＦシステムにおいては、ＨＷＦサーバ４に搭載されたＲＩＰエン
ジン４２０に対応したＲＩＰエンジン１２０がＤＦＥ１００に搭載されている。従って、オフセットプリンタ２での出力のためにＲＩＰエンジン４２０によって処理された印刷ジョブのラスターデータと、デジタルプリンタ１での出力のためにＲＩＰエンジン１２０によって処理された印刷ジョブのラスターデータとに差異が発生しない。従って、異なる種類の画像形成装置における印刷結果の差異を低減することが出来る。
【０２０８】
また、複数のＨＷＦサーバ４が設けられることにより、ＲＩＰ処理に際してのパラメータ指定形式の異なる様々なデータが入力されることとなる。この場合、夫々の形式に応じてパラメータ指定の態様を変更する必要があり、図６に示すジョブ制御部１１６にそのような機能を担わせる態様が考えられる。しかしながら、ジョブ制御部１１６は、システム制御部１１３やプリンタ制御部１２２等、ＤＦＥ１００において大きな要素となっている他のモジュールと関連しているため、ジョブ制御部１１６の機能拡張を行う場合、システム全体に与える影響が大きい。
【０２０９】
これに対して、本実施形態に係るＤＦＥ１００においては、ジョブ制御部１１６からの制御に基づいてＲＩＰ制御部１１９がパラメータ変換を行う。即ち、ＲＩＰ制御部１１９が制御値変換部として機能する。そのため、上述したようなジョブ制御部１１６の機能拡張による弊害を排除し、ＲＩＰ制御部１１９の機能拡張によって、システム全体に対して大きな影響を与えることなく、新たなパラメータの指定形式に対応することが可能である。
【０２１０】
以上、説明したように、本実施形態に係るシステムにおいては、ジョブデータが分割され、印刷出力の実行先が変更された場合、印刷条件の変化に応じてマークの設定が変換される。従って、複数種類の画像形成装置を管理して印刷出力を行うシステムにおいて、印刷条件の変更によるマークの変更に際するユーザの操作負担を軽減することができる。
【０２１１】
尚、上記実施形態においては、印刷条件が変更される場合として、オフセット印刷用に生成されてマークが設定されたジョブの出力先がデジタル印刷に変更された場合を例として説明した。この場合、対応しているシートサイズの変更により面付けが変更されると共に、後処理装置１６０が対応している機能に応じて後処理装置３との間に差異が生じることとなる。そして、図１６、図１７に示すマーク変換情報は、そのような変化に応じて生成される。
【０２１２】
しかしながらこれは一例であり、例えば、デジタルプリンタ１ａを意図して生成されてマークが設定されたジョブの出力先がデジタルプリンタ１ｂに変更される場合であっても、対応するシートサイズや後処理装置１６０の機能の差異により同様に適用可能である。また、出力先の変更が無い場合であっても、シートサイズが変更されることにより、面付けが変更されれば、同様にマークの設定変更が必要となる。
【０２１３】
即ち、本実施形態に係るマークの変換処理は、印刷出力の結果の丁合に関連する条件が変更された場合に、その条件の変化に応じてマークの設定変更を行う方法として用いられ
る。
【０２１４】
尚、上記実施形態においては、“ＲＩＰ制御モード”として「ページモード」及び「シートモード」を例として説明した。ここで、「ページモード」において、ＲＩＰ制御部１１９は、上述したように複数の集約前のページ毎にＲＩＰ前のデータをＲＩＰエンジン１２０に送信し、ページ毎にＲＩＰ処理を実行させて集約された状態のラスターデータを生成させる。
【０２１５】
この他、ＲＩＰ制御部１１９が、複数の集約前のページについてのＲＩＰ前のデータをすべてＲＩＰエンジン１２０に送信し、ＲＩＰエンジン１２０が面付け処理を行いながらＲＩＰ処理を実行する処理態様も可能である。このような処理態様は「サーフェイスモード」と呼ばれる。「サーフェイスモード」を用いる場合においても、上記と同様に、ＲＩＰ制御部１１９は、ＲＩＰ処理を実行させるＲＩＰエンジン１２０に応じて、ＲＩＰエンジン１２０に対して指定するパラメータの変換処理を行う。これにより、上記と同様の効果を得ることが可能である。
【０２１６】
また、上記実施形態においては、このような“ＲＩＰ制御モード”の差異に対応するための処理として、ＲＩＰ制御用のパラメータを変換する場合を例として説明した。この他、例えば元データの形式に応じて、ＲＩＰ処理を実行させるＲＩＰエンジン１２０を選択しても良い。
【０２１７】
この場合、ＲＩＰ制御部１１９は、ジョブ制御部１１６からＲＩＰ処理対象のデータを取得すると、“ＲＩＰ制御モード”の情報を参照する。そして、「ページモード」、「シートモード」、「サーフェイスモード」等の指定に応じたＲＩＰエンジン１２０を選択し、ＲＩＰ処理を実行させる。このようなＲＩＰ制御部１１９の機能によっても、上記と同様に、元データにおけるパラメータの指定方法とＲＩＰエンジン１２０の対応する“ＲＩＰ制御モード”との差異に対応することができる。
【０２１８】
また、本実施形態に係るシステムにおいては、複数のデバイスに同一のＲＩＰエンジンが搭載されていることを前提として、図３に示すような“ＲＩＰデバイス指定”の情報によってＲＩＰ内部処理の夫々を実行するデバイスを管理する。そして、ＤＦＥ１００においてＲＩＰ処理が実行される際には、“ＲＩＰステータス”の情報によって既に実行されたＲＩＰ内部処理が除外される。
【０２１９】
このような構成によれば、オペレータは、“ＲＩＰデバイス指定”の情報を変更することにより、夫々のデバイスが担当するＲＩＰ内部処理を容易に変更することが可能である。また、その場合に、“ＲＩＰステータス”の情報によって必要な処理が判断されるため、ＤＦＥ１００においては必要な処理のみが実行対象となる。
【０２２０】
このような処理により、複数のデバイスにおいてＲＩＰ処理が行われる場合において、夫々のデバイスが担当する処理の変更を容易化することが出来る。また、ＨＷＦサーバ４とＤＦＥ１００とで夫々ＲＩＰ処理を実行する場合において、いずれか一方のみでＲＩＰ処理を実行した場合と同一の画像を生成することができる。
【０２２１】
また、上記実施形態によれば、ＨＷＦサーバ４とＤＦＥ１００とでＲＩＰ内部処理を分散する場合には、“パススルーモード”が設定され、ＨＷＦサーバ４において処理された情報がそのままＤＦＥ１００のＲＩＰエンジンに入力される。ＨＷＦサーバ４とＤＦＥ１００とには同一のＲＩＰエンジンが搭載されているため、夫々のデバイスの違いを意識することなく一連の処理としてＲＩＰ処理を続行することが可能である。このような場合において、上述した“ＲＩＰステータス”の情報を用いることにより、複数デバイスでのＲＩＰ処理の分散に際して、分散態様を動的に変更することをより好適に実現することが出来る。
【０２２２】
また、上記実施形態によれば、ＤＦＥ１００において搭載されている複数のＲＩＰエンジン夫々に対応すると共に、“パススルーモード”をはじめとした個別の設定が関連付けられた夫々の個別ジョブ受信部１１２がＤＦＥ１００において設けられている。
【０２２３】
これにより、ＨＷＦサーバ４側においては、個別ジョブ受信部１１２を指定することによってＨＷＦサーバ４に搭載されているＲＩＰエンジンに対応した同一のＲＩＰエンジンを指定することが出来る。また、“パススルーモード”による処理であることを指定することが出来る。従って、上述したようなＨＷＦサーバ４とＤＦＥ１００とで同一のＲＩＰエンジンにより処理を実行させることや、“パススルーモード”を設定すること等を容易に実現することが出来る。
【０２２４】
また、上記実施形態においては、図３の“ＲＩＰデバイス指定”の情報に示すように、ＤＦＥ１００においてＲＩＰ処理を実行させる場合には、ＤＦＥ１００に搭載された複数のＲＩＰエンジンのいずれかを指定可能である。これにより、夫々のＲＩＰエンジンに搭載されている機能をフレキシブルに利用してＲＩＰ処理を実行することが可能となる。
【０２２５】
また、上記実施形態においては、図３において説明したように、“ＲＩＰデバイス指定”の情報を設け、この情報に基づいてワークフロー制御部４１８が処理を実行させる先のモジュールを決定する場合を例として説明した。この他、例えば図５に示すワークフロー情報において“ＲＩＰデバイス指定”に相当する情報が記述されていても良い。
【０２２６】
このような場合、“ＲＩＰデバイス指定”に相当する情報はＪＤＦ情報には含まれないため、ＤＦＥ１００側に伝えられることはない。その結果、ＤＦＥ１００側においては、ＨＷＦサーバ４側のＲＩＰエンジン４２０が指定された処理を判断することができないが、“ＲＩＰステータス”を参照することによりＤＦＥ１００側において実行するべき処理を判断することが出来る。
【０２２７】
この他、ＤＦＥ１００側において受信したデータの内容を解析し、既に実行されたＲＩＰ処理を判断することも可能である。しかしながら、この場合、入力されたデータを解析する処理が発生するため、その分の時間を要する。これに対して、“ＲＩＰステータス”の情報を用いることにより、そのような解析処理を行うことなく、迅速に画像形成出力を実行することが出来る。
【符号の説明】
【０２２８】
１  デジタルプリンタ
２  オフセットプリンタ
３  後処理装置
４、４ａ、４ｂ  ＨＷＦサーバ
５、５ａ、５ｂ  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  ＤＦＥ
１０１  ネットワークＩ／Ｆ
１０２  ディスプレイ
１１１  ジョブ受信部
１１２  個別ジョブ受信部
１１３  システム制御部
１１４  ジョブデータ格納部
１１５  ＵＩ制御部
１１６  ジョブ制御部
１１７  ＪＤＦ解析部
１１８  ＲＩＰ部
１１９  ＲＩＰ制御部
１２０  ＲＩＰエンジン
１２１  画像格納部
１２２  プリンタ制御部
１２３  デバイス情報管理部
１２４  デバイス情報通信部
１３０  ジョブ管理部
１５０  デジタルエンジン
２００  ＣＴＰ
２０１  制御部
２０２  入力部
２０３  ＲＩＰパラメータ解析部
２０４  プリフライト処理部
２０５  ノーマライズ処理部
２０６  マーク処理部
２０７  フォント処理部
２０９  ＣＭＭ処理部
２１０  Ｔｒａｐｐｉｎｇ処理部
２１１  Ｃａｌｉｂｒａｔｉｏｎ処理部
２１２  Ｓｃｒｅｅｎｉｎｇ処理部
２１３  出力部
２１４  ジョブ属性解析部
２１５  ＲＩＰステータス解析部
２１６  ＲＩＰステータス管理部
２１７  レイアウト処理部
２１８  レンダリング処理部
４００  ＨＷＦコントローラ
４０１  ネットワークＩ／Ｆ
４１０  システム制御部
４１１  データ受信部
４１２  ＵＩ制御部
４１３  ジョブ制御部
４１４  ジョブデータ格納部
４１５  デバイス情報通信部
４１６  デバイス情報管理部
４１７  デバイス情報格納部
４１８  ワークフロー制御部
４１９  ワークフロー情報格納部
４２０  ＲＩＰエンジン
４２１  ジョブ送受信部
４２２  面付け変換部
【先行技術文献】
【特許文献】
【０２２９】
【特許文献１】特開２００５−２６８９１８号公報
【図１】
2019117660.tif 000003
【図２】
2019117660.tif 000004
【図３】
2019117660.tif 000005
【図４】
2019117660.tif 000006
【図５】
2019117660.tif 000007
【図６】
2019117660.tif 000008
【図７】
2019117660.tif 000009
【図８】
2019117660.tif 000010
【図９】
2019117660.tif 000011
【図１０】
2019117660.tif 000012
【図１１】
2019117660.tif 000013
【図１２】
2019117660.tif 000014
【図１３】
2019117660.tif 000015
【図１４】
2019117660.tif 000016
【図１５】
2019117660.tif 000017
【図１６】
2019117660.tif 000018
【図１７】
2019117660.tif 000019
【図１８】
2019117660.tif 000020
【図１９】
2019117660.tif 000021
【図２０】
2019117660.tif 000022
【図２１】
2019117660.tif 000023
【図２２】
2019117660.tif 000024
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
複数の画像形成装置を管理して少なくとも１つの画像形成装置における画像形成出力を制御する画像形成出力制御装置を含み、前記画像形成出力を実行させる画像処理システムに適用される処理実行制御装置であって、
画像形成出力対象の画像の情報である出力対象画像情報に対して画像形成出力における条件が設定されて生成された情報であって、当該画像形成出力によって出力される結果物の丁合に関連する条件の設定及び前記結果物において前記画像形成出力対象の画像の外側に形成される丁合に関する図形の設定を含む出力命令情報を取得する出力命令情報取得部と、
画像形成装置における画像形成出力に際して参照される情報である描画情報を、前記出力命令情報に従い、前記出力対象画像情報に基づいて生成する制御側描画情報生成部と、
前記出力命令情報のうち前記丁合に関連する条件の設定の変更を受け付け、前記丁合に関連する条件の変化に応じて前記丁合に関する図形の条件の設定を変換するための方法が特定されたマーク変換情報に基づき、前記丁合に関する図形の設定を変換する設定変換部と、
を有することを特徴とする処理実行制御装置。
【請求項２】
前記出力命令情報は前記結果物のサイズを指定する情報を含み、
前記設定変換部は、
前記結果物のサイズの設定変更を受け付け、
受け付けた前記サイズの変化に応じて前記丁合に関する図形の設定を変換することを特徴とする請求項１に記載の処理実行制御装置。
【請求項３】
前記出力命令情報は画像形成出力を実行させる画像形成装置を指定する情報を含み、
前記設定変換部は、
前記画像形成装置を指定する情報の変更を受け付け、
変更後の前記画像形成装置における前記丁合に関連する条件の対応機能の情報を取得し、
取得した前記条件の対応機能の情報と、前記出力命令情報のうち前記丁合に関連する条件の設定との差異に基づいて前記丁合に関する図形の設定を変換することを特徴とする請求項１または２に記載の処理実行制御装置。
【請求項４】
前記設定変換部は、
複数ページによって構成される出力対象画像情報についてページ毎に異なる出力先を指定するように前記画像形成装置を指定する情報の変更を受け付けることを特徴とする請求項３に記載の処理実行制御装置。
【請求項５】
複数の画像形成装置を管理して少なくとも１つの画像形成装置における画像形成出力を制御する画像形成出力制御装置を含み、前記画像形成出力を実行させる画像処理システムに適用される処理実行制御方法であって、
画像形成出力対象の画像の情報である出力対象画像情報に対して画像形成出力における条件が設定されて生成された情報であって、当該画像形成出力によって出力される結果物の丁合に関連する条件の設定及び前記結果物において前記画像形成出力対象の画像の外側に形成される丁合に関する図形の設定を含む出力命令情報を取得し、
画像形成装置における画像形成出力に際して参照される情報である描画情報を、前記出力命令情報に従い、前記出力対象画像情報に基づいて生成し、
前記出力命令情報のうち前記丁合に関連する条件の設定の変更を受け付け、前記丁合に関連する条件の変化に応じて前記丁合に関する図形の条件の設定を変換するための方法が特定されたマーク変換情報に基づき、前記丁合に関する図形の設定を変換する、
ことを特徴とする画像処理の処理実行制御方法。
【請求項６】
複数の画像形成装置を管理して少なくとも１つの画像形成装置における画像形成出力を制御する画像形成出力制御装置を含み、前記画像形成出力を実行させる画像処理システムに適用される処理実行制御装置を制御する制御プログラムであって、
画像形成出力対象の画像の情報である出力対象画像情報に対して画像形成出力における条件が設定されて生成された情報であって、当該画像形成出力によって出力される結果物の丁合に関連する条件の設定及び前記結果物において前記画像形成出力対象の画像の外側に形成される丁合に関する図形の設定を含む出力命令情報を取得する出力命令情報取得部と、
画像形成装置における画像形成出力に際して参照される情報である描画情報を、前記出力命令情報に従い、前記出力対象画像情報に基づいて生成する制御側描画情報生成部と、
前記出力命令情報のうち前記丁合に関連する条件の設定の変更を受け付け、前記丁合に関連する条件の変化に応じて前記丁合に関する図形の条件の設定を変換するための方法が特定されたマーク変換情報に基づき、前記丁合に関する図形の設定を変換する設定変換部と、を情報処理装置において実現することを特徴とする制御プログラム。
【手続補正３】
【補正対象書類名】明細書
【補正対象項目名】０００１
【補正方法】変更
【補正の内容】
【０００１】
本発明は、処理実行制御装置、処理実行制御方法及び制御プログラムに関する。
【手続補正４】
【補正対象書類名】明細書
【補正対象項目名】００１１
【補正方法】変更
【補正の内容】
【００１１】
上記課題を解決するために、本発明の一態様は、複数の画像形成装置を管理して少なくとも１つの画像形成装置における画像形成出力を制御する画像形成出力制御装置を含み、前記画像形成出力を実行させる画像処理システムに適用される処理実行制御装置であって、画像形成出力対象の画像の情報である出力対象画像情報に対して画像形成出力における条件が設定されて生成された情報であって、当該画像形成出力によって出力される結果物の丁合に関連する条件の設定及び前記結果物において前記画像形成出力対象の画像の外側に形成される丁合に関する図形の設定を含む出力命令情報を取得する出力命令情報取得部と、画像形成装置における画像形成出力に際して参照される情報である描画情報を、前記出力命令情報に従い、前記出力対象画像情報に基づいて生成する制御側描画情報生成部と、前記出力命令情報のうち前記丁合に関連する条件の設定の変更を受け付け、前記丁合に関連する条件の変化に応じて前記丁合に関する図形の条件の設定を変換するための方法が特定されたマーク変換情報に基づき、前記丁合に関する図形の設定を変換する設定変換部と、を有することを特徴とする。